【事件の表示】
　上記当事者間の特許第３９２６８２１号発明「可動人形用胴体」の特許無効審判事件について、次のとおり審決する。
【結　論】
　訂正を認めない。
　本件審判の請求は、成り立たない。
　審判費用は請求人の負担とする。
【理　由】
第１　手続の経緯
　特許第３９２６８２１号（以下「本件特許」という。）は、平成１４年４月２３日に出願された特願２００２−１２１３２６号（以下「原出願」という。）の一部を特許法第４４条１項の規定により新たな特許出願とした特願２００５−２５３３６号（以下「本件出願」という。）に係り、平成１９年３月９日にその請求項１、２に係る発明について特許権の設定登録が行われたものであって、その後、訂正審判（訂正２０１０−３９００４９）が請求され、当該審判請求による特許請求の範囲の請求項１及び２に係る訂正、ならびに、本件特許明細書に係る訂正は平成２２年７月７日に確定登録されている。
　本件無効審判は、本件特許について、平成２２年１１月２６日に、無効審判請求人　株式会社ボークス（以下「請求人」という。）が、「本件特許の請求項１、２に係る発明についての特許を無効とする。審判費用は被請求人の負担とする。」との審決を求めるとして請求したものであって、被請求人　株式会社オビツ製作所（以下「被請求人」という。）は、平成２３年２月１５日付けで答弁書及び訂正請求書を提出している。その後の主な手続の経緯は以下のとおりである。
・平成２３年３月２３日付け　請求人より弁駁書提出
・　　　同年４月　５日付け　被請求人より上申書提出
・　　　同年５月１８日付け　請求人より口頭審理陳述要領書提出
・　　　同年５月１９日付け　被請求人より口頭審理陳述要領書提出
・　　　同年６月　２日付け　請求人より上申書提出
・　　　同年６月　２日　　　第１回口頭審理
・　　　同年６月　２日　　　審理終結
・　　　同年６月　６日付け　被請求人より上申書提出
　
第２　請求人の主張と証拠方法
１　請求人の主張の概要
　本件特許について、請求人が主張する無効理由の概要は以下の理由アないしウのとおりであって、請求人は、証拠方法として以下の甲第１号証の１ないし甲第２１号証を提出している。
（１）無効理由
ア　無効理由１
　本件特許の請求項１、２に係る発明は、本件特許のそ及出願日前（当審注：原出願の出願前。以下単に「出願前」という。）に日本国内で公然実施された株式会社メディコム・トイの製造・販売に係る商品である「REAL ACTION HEROES DevilMan COMIC VERSION」（以下「第１商品」という。）に係る発明（以下「第１商品発明」という。）、及び、同じく本件特許の出願前に日本国内で公然実施された株式会社ボークスの製造・販売に係る商品である「幻の素体−Ａ」（以下「第２商品」という。）に係る発明（以下「第２商品発明」という。）、ならびに、本件特許のそ及出願時（当審注：原出願の出願時。以下単に「出願時」という。）の周知ないし公知の技術的手段（下記甲第１３号証及び甲第１４号証参照。）に基いて当業者が容易に発明をすることができたものであるから、本件特許の請求項１、２に係る発明に係る特許は特許法第２９条第２項の規定により特許を受けることができない発明に対してされたものであり、本件特許の請求項１、２に係る発明に係る特許は同法第１２３条第１項第２号の規定によって無効とすべきである。
イ　無効理由２
　本件特許の請求項１、２に係る発明は、第１商品発明、及び、本件特許の出願前に日本国内で公然実施された株式会社壽屋の製造・販売に係る商品である「ACTIVE STYLING FIGURE SERIES NO.5 BATTLE ATHLETESS　大運動会　神崎あかり　訓練校服バージョン」（以下「第３商品」という。）に係る発明（以下「第３商品発明」という。）、ならびに、本件特許の出願時の周知ないし公知の技術的手段（下記甲第１３号証及び甲第１４号証参照。）に基いて当業者が容易に発明をすることができたものであるから、本件特許の請求項１、２に係る発明に係る特許は特許法第２９条第２項の規定により特許を受けることができない発明に対してされたものであり、本件特許の請求項１、２に係る発明に係る特許は、同法第１２３条第１項第２号の規定によって無効とすべきである。
ウ　無効理由３
　本件特許の請求項１、２に係る発明の「軟質性本体」は、本件特許明細書中のどの文言に対応する部材であるのか明確でないから、本件特許の請求項１、２に係る発明は明確でなく、本件特許の請求項１、２に係る発明に係る特許は特許法第３６条第６項第２号に規定する要件を満たしていない特許出願に対してされたものであり、本件特許の請求項１、２に係る発明に係る特許は、同法第１２３条第１項第４号に該当し無効とすべきである。
　
（２）平成２３年２月１５日付け訂正請求について
ア　主張１
　平成２３年２月１５日付け訂正請求による訂正（以下「本件訂正」という。）後の特許請求の範囲の請求項１、２に係る発明（以下それぞれを「訂正発明１」、「訂正発明２」という。）の「上半身部品連結構造」と「脚部連結構造」が一体に形成されているという訂正事項は、本件特許の願書に添付した明細書、特許請求の範囲又は図面に記載した事項の範囲内においてしたものではないから、本件訂正は、特許法第１３４条の２第５項において準用する同法第１２６条第３項の規定に適合しない。
イ　主張２
　本件訂正により、訂正発明１、２は「差し込み穴」の形状が「円筒状」に限定されないことになるから、本件訂正は本件特許発明１、２を拡張するものであり、該当する訂正個所が誤記の訂正や明りようでない記載の釈明に該当しないことは明らかであるから、本件訂正は、特許法第１３４条の２第１項ただし書各号のいずれの目的にも該当しない。
ウ　主張３
　本件訂正により、訂正発明１、２は、本件特許発明１、２が具備していた「揺動可能かつ分離・組み立て可能」という事項を有さないことになるから、本件訂正は本件特許発明１、２を拡張するものであり、該当する訂正個所が誤記の訂正や明りようでない記載の釈明に該当しないことは明らかであるから、本件訂正は、特許法第１３４条の２第１項ただし書各号のいずれの目的にも該当しない。
　
２　証拠方法
　請求人が証拠方法として提出した証拠は以下の甲第１号証の１ないし甲第２１号証である。
・甲第１号証の１及び同号証の２：「株式会社メディコム・トイの製造・販売に係る商品：REAL ACTION HEROES DevilMan COMIC VERSIONを撮影した写真、該商品の梱包化粧箱を撮影した写真及び該商品に同封された使用説明書の写し」（以下「株式会社メディコム・トイの製造・販売に係る商品：REAL ACTION HEROES DevilMan COMIC VERSION」を「本件第１商品」という。）
・甲第２号証：「月刊ホビージャパン８月号別冊　ホビージャパンエクストラ夏の号」（１９９７年８月１日　株式会社ホビージャパン発行）の表紙、第３頁、第７８頁及び奥付 
・甲第３号証：「斎藤和典コレクション○４（当審注：「○４」は「丸の中に４」を意味する。以下同様。）　変身サイボーグ大百科」（１９９７年８月５日　株式会社誠文堂新光社発行）の表紙、表紙の折り返し、第８７頁及び奥付
・甲第４号証：「コミック・ゴン！　第２号」（平成１０年５月１日　ミリオン出版株式会社発行）の表紙、第９１〜１０３頁及び裏表紙
・甲第５号証の１及び同号証の２：「株式会社ボークスの製造・販売に係る商品：幻の素体−Ａを撮影した写真、該商品の梱包化粧箱を撮影した写真及び該商品に同封された組み立て説明書の写し」（以下「株式会社ボークスの製造・販売に係る商品：幻の素体−Ａ」を「本件第２商品」という。）
・甲第６号証：「HOBBY JAPAN MOOK　HOBBY JAPAN EXTRA GARAGE KIT  CATALOG ’99 」（１９９９年７月１３日　株式会社ホビージャパン発行）の表紙、第５頁（当審注：提出された証拠の第２葉）、第１０２頁及び奥付
・甲第７号証：「VOLKS PERFECT FILE THAT’S ALL ABOUT VOLKS 1999」（１９９９年２月２０日　株式会社ワニブックス発行）の表紙、第８７頁及び奥付
・甲第８号証：「レプリカント　第３号」（１９９８年１１月３０日　株式会社竹書房発行）の表紙、第１１６頁（当審注：提出された証拠の第２葉）、奥付及び裏表紙
・甲第９号証の１及び同号証の２：「株式会社壽屋の製造・販売に係る商品：ACTIVE STYLING FIGURE SERIES NO.5 BATTLE ATHLETESS　大運動会　神崎あかり　訓練校服バージョンを撮影した写真、該商品の梱包化粧箱を撮影した写真及び該商品に同封された取り扱い説明書の写し」（以下「株式会社壽屋の製造・販売に係る商品：ACTIVE STYLING FIGURE SERIES NO.5 BATTLE ATHLETESS大運動会　神崎あかり　訓練校服バージョン」を「本件第３商品」という。）
・甲第１０号証：「月刊ホビージャパン８月号別冊　ホビージャパンEXTRA1998年夏の号」（１９９８年８月１日　株式会社ホビージャパン発行）の表紙、第５頁（当審注：提出された証拠の第２葉）、第９６頁及び奥付
・甲第１１号証：「Hobby JAPAN １９９８年５月号」（１９９８年５月１日　株式会社ホビージャパン発行）の表紙、第２１６頁（当審注：提出された証拠の第２葉）及び奥付
・甲第１２号証：「株式会社壽屋の製造・販売に係る商品：ACTIVE STYLING FIGURE SERIES NO.4 天上ウテナ　デュエリストバージョンの包装状態を示す写真」
・甲第１３号証：「Hobby JAPAN １９８９年７月号」（平成元年７月１日　株式会社ホビージャパン発行）の表紙、第３９頁及び奥付
・甲第１４号証：「Hobby Japan １９８７年８月号」（昭和６２年８月１日　株式会社ホビージャパン発行）の表紙、第３４頁及び奥付
・甲第１５号証：「本件第３商品を撮影した写真」
・甲第１６号証：特開平６−２３１５４号公報
・甲第１７号証：「Hobby JAPAN １９９６年９月号」（１９９６年９月１日　株式会社ホビージャパン発行）の表紙、第２２０〜２２１頁及び奥付
・甲第１８号証：「Hobby JAPAN １９９８年４月号」（１９９８年４月１日　株式会社ホビージャパン発行）の表紙、第１２２〜１２３頁及び奥付
・甲第１９号証：「CooL Toys Vol.6」（１９９９年１月３０日　株式会社ワニブックス発行）の表紙、第６０頁及び裏表紙
・甲第２０号証：「ワールド・ムック９６　フィギュア王」（平成９年２月２５日　株式会社ワールドフォトプレス発行）の表紙、第５０頁（当審注：提出された証拠の第２葉）及び裏表紙
・甲第２１号証：インターネット上のwebサイト「ツェットのどっくんどっくん」のトップページ（http://sahra.web.infoseek.co.jp/index.html）、及び、同webサイトの「絵日記」の「１９９５年５月」の記事（http://sahra.web.infoseek.co.jp/9905/doll1.html）の写し
　
第３　被請求人の主張と証拠方法
　被請求人は、「本件審判の請求は成り立たない。本件審判費用は請求人の負担とする。」との審決を求め、請求人の上記主張に対し、概略、以下の主張をし、証拠方法として以下の乙第１〜１２号証を提示している。
　なお、被請求人は平成２３年６月６日付けで上申書及び乙第１３号証を提出しているが、当該上申書及び乙第１３号証は本件無効審判事件の審理終結後（審理終結については第１回口頭審理調書参照。）に提出されたものであって、審理を再開すべき特段の理由も見いだせないから、審理の対象として採用しない。
１　被請求人の主張の概要
（１）本件訂正請求について
ア　請求人の主張１に対して
　本件特許明細書の記載からして、訂正発明１、２の「上半身部品連結構造」と「脚部連結構造」が一体に形成されているという事項は、腰部本体内に着脱可能に備えられる上半身部品連結構造側に脚部を着脱可能に連結する機構を有することを意味していることが明らかであるから、本件訂正は本件特許の願書に添付した明細書、特許請求の範囲又は図面に記載した事項の範囲内において行ったものであり、本件訂正が特許法第１３４条の２第５項において準用する同法第１２６条第３項の規定に適合しないという請求人の主張は妥当でない。
イ　請求人の主張２に対して
　訂正発明１、２によれば、「差し込み穴」は「円柱状の棹部と、該棹部を嵌合し、かつ上下方向で差込み連結かつ引き抜き分離可能」であることから、差し込み穴が円筒状の形状であることは当然に限定されるものであってそれ以外に解釈されるものではないから、該当する訂正個所は特許請求の範囲の減縮を目的とするものであって、本件訂正が特許法第１３４条の２第１項ただし書各号のいずれの目的にも該当しないという請求人の主張は妥当でない。
ウ　請求人の主張３に対して
　訂正発明１、２についてする、下半身部品、上半身部品、下半身連結部材の連結構造及びそれらの摺動、揺動関係に関する訂正は、本件特許明細書の記載に基づき、誤記を訂正するとともに発明の構成を明りようとすることを目的とするものであって、特許請求の範囲を実質的に拡張するものでもないから、本件訂正が特許法第１３４条の２第１項ただし書各号のいずれの目的にも該当しないという請求人の主張は妥当でない。
　
（２）無効理由について
ア　主張１
　本件第２商品発明は、本件特許の出願前に公然実施されたものではなく、特許法第２９条第１項第２号に該当する発明とはいえないから、請求人の主張する無効理由１は失当である。
イ　主張２
　訂正発明１及び２は、本件第１商品及び本件第２商品に係る発明、ならびに甲各号証に記載された技術的事項に基いて当業者が容易に発明することができたものではないから、特許法第２９条第２項の規定に該当するものではなく、本件特許発明１及び２に係る本件特許は無効とされるべきでない。
ウ　主張３
　訂正発明１及び２は、本件第１商品及び本件第３商品に係る発明、ならびに甲各号証に記載された技術的事項に基いて当業者が容易に発明することができたものではないから、特許法第２９条第２項の規定に該当するものではなく、本件特許発明１及び２に係る本件特許は無効とされるべきでない。
エ　主張４
　訂正発明１及び２の「軟質性本体」の文言は特許明細書の記載を参酌することによって明らかであるから訂正発明１及び２は明確である。したがって、本件特許は特許法第３６条第６項第２号に規定する要件を満たしており、訂正発明１及び２に係る本件特許は無効とされるべきでない。
　
２　証拠方法
・乙第１号証：インターネット上のwebサイト「株式会社壽屋」ホームページ中の「１１月発売予定商品ソ・ラ・ノ・ヲ・ト『カナタ（空深彼方）』発売中止のお詫びとお知らせ」の記事（http://www.kotobukiya.co.jp/kotobukiya/topics/101004/）の写し 
・乙第２号証：インターネット上のwebサイト「株式会社ボークス」ホームページ中の「ドールズ・パーティー１３＝’05Spring＝」の記事（http://www.volks.co.jp/jp/event/dolpa13/）の写し
・乙第３号証：インターネット上のwebサイト「株式会社ボークス」ホームページ中の「アニメティックアイズ「るりこん」発売延期のお知らせ」の記事（http://www.volks.co.jp/jp/news/index_news375.html）の写し
・乙第４号証：インターネット上のwebサイト「株式会社ボークス」ホームページ中の「ウェブサイト通常予約受付」の記事（http://www.volks.co.jp/jp/lyrical_nanoha/schedule.html）の写し
・乙第５号証：インターネット上のwebサイト「株式会社コナミデジタルエンタテインメント」ホームページ中の「発売延期ホビー商品　発売日決定のお知らせ」の記事（http://www.konami.jp/th/info/0405.html）の写し
・乙第６号証：インターネット上のwebサイト「有限会社ＪＡＰ工房」ホームページ中の「【 聖飢魔II 25周年再集結 】情報特設サイト」の「期間限定受注生産「【聖飢魔II公認】聖飢魔II・ドール」最新情報！」の記事（http://www.jap-inc.com/seikima2/2010/05/iiii_1.html）の写し
・乙第７号証の１ないし同号証の３：「株式会社メディコム・トイの製造・販売に係る商品：REAL ACTION HEROES DevilMan COMIC VERSIONを撮影した写真」
・乙第８号証の１ないし同号証の７：「株式会社メディコム・トイの製造・販売に係る商品：REAL ACTION HEROES 力石徹〜あしたのジョーより〜を撮影した写真、該商品の梱包化粧箱を撮影した写真及び該商品に同封された使用説明書の写し」
・乙第９号証の１ないし同号証の４：「株式会社メディコム・トイの製造・販売に係る商品：REAL ACTION HEROES シルベスター・スタローン　ジャッジ・ドレッドを撮影した写真及び該商品の梱包化粧箱を撮影した写真」
・乙第１０号証の１ないし同号証の５：「株式会社メディコム・トイの製造・販売に係る商品：REAL ACTION HEROES 仮面ライダーストロンガ−　チャージアップバージョンを撮影した写真、該商品の梱包化粧箱を撮影した写真及び該商品に同封された使用説明書の写し」
・乙第１１号証：「Hobby JAPAN １９９８年６月号」（１９９８年６月１日　株式会社ホビージャパン発行）の表紙、第９７頁及び奥付
・乙第１２号証：インターネット上のwebサイト「オークション＆ショッピングのビッダーズ」ホームページ中の「絶版レア♪コトブキヤ　アクティブスタイリングフィギュア５点（綾波レイ・アスカ・ウテナ・命・あかり）ロットナンバー：143246413」の記事（http://www.bidders.co.jp/item/143246413）の写し
　
第４　平成２３年２月１５日付け訂正請求について
　最初に、平成２３年２月１５日付け訂正請求の適否について検討する。
１　訂正請求の内容
　平成２３年２月１５日付け訂正請求（以下「本件訂正請求」という。）は、以下の訂正事項からなるものである。
（１）訂正事項１
　願書に添付した特許請求の範囲の請求項１の、
「　少なくとも上半身部品と下半身部品が別成形されると共に、
　前記上半身部品と下半身部品とが、揺動可能、かつ分離・組み立て可能に連結される可動人形用胴体であって、
　前記上半身部品は、スラッシュ成形により接合線なく一体成形され、かつ下端に開口を設けた塩化ビニル樹脂製の中空の軟質製本体と、
　該軟質製本体内に嵌入して内装される硬質合成樹脂製の芯材とで構成され、
　前記芯材は、下半身部品と揺動可能かつ分離・組み立て可能に連結する下半身連結部材を備え、
　前記下半身連結部材は、下半身部品の上端と対向し、前記軟質製本体下端の開口に位置して備えられ、
　前記下半身部品は、前記軟質製本体下端の開口と対向する上端を開放し、外表面にネジ穴や接合線を有しない一体成形された腰部本体と、
　前記腰部本体内に備えられ、前記下半身連結部材を差し込み連結可能な上半身部品連結構造とを備え、
　前記上半身部品連結構造は、前記下半身連結部材と対向し、前記腰部本体の開放部位に位置して備えられ、
　前記下半身連結部材と前記上半身部品連結構造は、
　円柱状の棹部と、該棹部を嵌合し、かつ上下方向で差込み連結かつ引き抜き分離可能な円筒状の差込み穴とによって構成され、
　前記上半身部品と前記下半身部品は、
　軟質製本体下端の開ロと腰部本体の開放部位にそれぞれ位置している前記棹部と前記差込み穴との上下方向の差込み又は引き抜きのみによって着脱自在に連結されていることを特徴とする可動人形用胴体。」を、
　
「　少なくとも上半身部品と下半身部品が別成形されると共に、
　前記上半身部品と下半身部品とが、揺動可能、かつ分離・組み立て可能に連結される可動人形用胴体であって、
　前記上半身部品は、スラッシュ成形により接合線なく一体成形され、かつ下端に開口を設けた塩化ビニル樹脂製の中空の軟質製本体と、
　該軟質製本体内に嵌入して内装される硬質合成樹脂製の芯材とで構成され、
　前記芯材
には、下半身部品と連結する下半身連結部材が摺動自在に備えられ、
　前記下半身連結部材は、下半身部品の上端と対向し、前記軟質製本体下端の開口に位置して備えられ、
　前記下半身部品は、前記軟質製本体下端の開口と対向する上端を開放し、外表面にネジ穴や接合線を有しない一体成形された腰部本体と、
前記腰部本体内に
着脱可能に
と、前記上半身部品連結構造と一体に形成されて左右の脚部を着脱可能に連結する脚部連結構造とを含み、
　前記上半身部品連結構造は、前記下半身連結部材と対向し、前記腰部本体の開放部位に位置して備えられ、
　前記下半身連結部材と前記上半身部品連結構造は、
円柱状の棹部と、該棹部を嵌合し、かつ上下方向で差込み連結かつ引き抜き分離可能な
差込み穴を備えた
連結部
　前記上半身部品と前記下半身部品は、
軟質製本体下端の開ロと腰部本体の開放部位にそれぞれ位置している前記棹部と
前記差込み穴を備えた円筒状の連結部
、かつ前記上半身部品と下半身部品は、前記芯材と前記下半身連結部材との間の連結部位を介して揺動可能に連結され
　
（２）訂正事項２ 
　願書に添付した明細書の段落【０００６】の、
「上記目的を達成するために本発明の第１の発明は、少なくとも上半身部品と下半身部品が別成形されると共に、
 前記上半身部品と下半身部品とが、揺動可能、かつ分離・組み立て可能に連結される可動人形用胴体であって、
　前記上半身部品は、スラッシュ成形により接合線なく一体成形され、かつ下端に開口を設けた塩化ビニル樹脂製の中空の軟質製本体と、
　該軟質製本体内に嵌入して内装される硬質合成樹脂製の芯材とで構成され、
　前記芯材は、下半身部品と揺動可能かつ分離・組み立て可能に連結する下半身連結部材を備え、
　前記下半身連結部材は、下半身部品の上端と対向し、前記軟質製本体下端の開口に位置して備えられ、
　前記下半身部品は、前記軟質製本体下端の開口と対向する上端を開放し、外表面にネジ穴や接合線を有しない一体成形された腰部本体と、
　前記腰部本体内に備えられ、前記下半身連結部材を差し込み連結可能な上半身部品連結構造とを備え、
　前記上半身部品連結構造は、前記下半身連結部材と対向し、前記腰部本体の開放部位に位置して備えられ、
　前記下半身連結部材と前記上半身部品連結構造は、
円柱状の棹部と、該棹部を嵌合し、かつ上下方向で差込み連結かつ引き抜き分離可能な円筒状の差込み穴とによって構成され、
　前記上半身部品と前記下半身部品は、
軟質製本体下端の開口と腰部本体の開放部位にそれぞれ位置している前記棹部と前記差込み穴との上下方向の差込み又は引き抜きのみによって着脱自在に連結されていることを特徴とする可動人形用胴体としたことである。
また、第２の発明は、第１の発明において、軟質製本体は、アンダーバストの位置と腹部との接触角が鋭角である乳房部を備え、接合線の無い一体成形品であることを特徴とする可動人形用胴体としたことである。」を、
　
「上記目的を達成するために本発明の第１の発明は、少なくとも上半身部品と下半身部品が別成形されると共に、
前記上半身部品と下半身部品とが、揺動可能、かつ分離・組み立て可能に連結される可動人形用胴体であって、
前記上半身部品は、スラッシュ成形により接合線なく一体成形され、かつ下端に開口を設けた塩化ビニル樹脂製の中空の軟質製本体と、
該軟質製本体内に嵌入して内装される硬質合成樹脂製の芯材とで構成され、
前記芯材には、下半身部品と連結する下半身連結部材が摺動自在に備えられ、
前記下半身連結部材は、下半身部品の上端と対向し、前記軟質製本体下端の開口に位置して備えられ、
前記下半身部品は、前記軟質製本体下端の開口と対向する上端を開放し、外表面にネジ穴や接合線を有しない一体成形された腰部本体と、
前記腰部本体内に着脱可能に備えられ、前記下半身連結部材を差し込み連結可能な上半身部品連結構造と、前記上半身部品連結構造と一体に形成されて左右の脚部を着脱可能に連結する脚部連結構造とを含み、
前記上半身部品連結構造は、前記下半身連結部材と対向し、前記腰部本体の開放部位に位置して備えられ、
前記下半身連結部材と前記上半身部品連結構造は、
円柱状の棹部と、該棹部を嵌合し、かつ上下方向で差込み連結かつ引き抜き分離可能な差込み穴を備えた円筒状の連結部とによって構成され、
前記上半身部品と前記下半身部品は、
軟質製本体下端の開ロと腰部本体の開放部位にそれぞれ位置している前記棹部と前記差込み穴を備えた円筒状の連結部との上下方向の差込み又は引き抜きのみによって着脱自在に連結され、かつ前記上半身部品と下半身部品は、前記芯材と前記下半身連結部材との間の連結部位を介して揺動可能に連結されていることを特徴とする可動人形用胴体としたことである。
また、第２の発明は、第１の発明において、軟質製本体は、アンダーバストの位置と腹部との接触角が鋭角である乳房部を備え、接合線の無い一体成形品であることを特徴とする可動人形用胴体としたことである。」に訂正する。  
　
２　本件訂正の許否の検討
（１）訂正事項１について
　訂正事項１に係る訂正のうち、「円柱状の棹部と、該棹部を嵌合し、かつ上下方向で差込み連結かつ引き抜き分離可能な
差込み穴を備えた
連結部
　前記上半身部品と前記下半身部品は、
軟質製本体下端の開ロと腰部本体の開放部位にそれぞれ位置している前記棹部と
前記差込み穴を備えた円筒状の連結部
　そこで、訂正Ａが、特許法第１３４条の２第１項ただし書各号に該当するか否か、加えて同法同条第５項において準用する同法第１２６条第４項の規定に適合するか否かを検討する。
　願書に添付した特許請求の範囲の請求項１のうち、訂正Ａの対応個所である「円柱状の棹部と、該棹部を嵌合し、かつ上下方向で差込み連結かつ引き抜き分離可能な円筒状の差込み穴とによって構成され」なる記載について検討すると、当該記載は明りようであって、誤記も見いだせないから、訂正Ａは、明りようでない記載の釈明もしくは誤記の訂正を目的とするものに該当しない。さらに、訂正Ａによると、「円筒状の」という用語は、実質的に「（差込み穴を備えた）連結部」を特定する用語として用いられていて、願書に添付した特許請求の範囲の請求項１において、「差込み穴」を特定するために用いられていた用語として削除されているといえる。加えて、「嵌合」は「軸が穴にかたくはまり合ったり、滑り動くようにゆるくはまり合ったりする関係」を意味する言葉（必要であれば「広辞苑」参照。）であって、はまり合う部材同士の形状を特定する用語ではなく、必ずしも同じ形状の部材同士がはまり合わされることを意味するものでないことは明らかであるから、「差し込み穴」が、「円柱状の棹部と、該棹部を嵌合し、かつ上下方向で差込み連結かつ引き抜き分離可能」であることをもって、差し込み穴が当然に円筒状の形状に限定されるものでもない。
　そうすると、訂正Ａは、実質上特許請求の範囲を拡張するものであるといえ、特許請求の範囲の減縮を目的としたものに該当しないことは明らかである。
　したがって、訂正Ａを含む訂正事項１に係る訂正は、特許法第１３４条の２第１項ただし書各号のいずれにも該当せず、また、仮に訂正Ａが被請求人の主張のとおり明りようでない記載の釈明を目的とするものであったとしても、訂正Ａは実質上特許請求の範囲を拡張するものであるから、訂正Ａを含む訂正事項１に係る訂正は、特許法第１３４条の２第５項において準用する同法第１２６条第４項の規定に適合しない。よって、訂正事項１に係る訂正を認めることはできない。
　
（２）訂正事項２について 
　訂正事項２は、訂正事項１に係る訂正に伴って、明細書の対応個所を整合させるための訂正であって、訂正事項１に係る訂正を認めることはできないことは上記（１）で述べたとおりであるから、訂正事項２に係る訂正は「明りようでない記載の釈明」に該当しない。また、訂正事項２が「誤記の訂正」にも該当しないことは明らかである。
　
３　本件訂正請求についての結論
　以上検討したとおり、訂正事項１（本件訂正請求による請求項１についての訂正）は、特許法第１３４条の２第１項ただし書各号のいずれにも該当せず、また、前記各号のいずれかに該当するものであったとしても、実質上特許請求の範囲を拡張する訂正を含むものであるから、同条第５項において準用する同法第１２６条第４項の規定に適合しない。また、訂正事項２（明細書についての訂正）は、訂正事項１に伴って関連する明細書の記載を訂正するものであるから、訂正事項２が特許法第１３４条の２第１項ただし書第２号もしくは第３号のいずれにも該当しないことは明らかである。
　したがって、本件訂正請求による請求項１についての訂正、本件訂正請求による明細書についての訂正はいずれも認めることはできない。
　
第５　本件特許に係る発明
　上記「第４」で述べたとおり、本件訂正請求による請求項１についての訂正、本件訂正請求による明細書についての訂正はいずれも認められないから、本件特許の請求項１ないし２に係る発明（以下、本件特許の請求項１、２に係る発明を、それぞれ「本件特許発明１」、「本件特許発明２」という。）は、願書に添付した特許請求の範囲の請求項１、２に記載された事項によって特定される次のとおりのものと認める。 
　
「【請求項１】 
　少なくとも上半身部品と下半身部品が別成形されると共に、
前記上半身部品と下半身部品とが、揺動可能、かつ分離・組み立て可能に連結される可動人形用胴体であって、
　前記上半身部品は、スラッシュ成形により接合線なく一体成形され、かつ下端に開口を設けた塩化ビニル樹脂製の中空の軟質製本体と、
　該軟質製本体内に嵌入して内装される硬質合成樹脂製の芯材とで構成され、
　前記芯材は、下半身部品と揺動可能かつ分離・組み立て可能に連結する下半身連結部材を備え、
　前記下半身連結部材は、下半身部品の上端と対向し、前記軟質製本体下端の開口に位置して備えられ、
　前記下半身部品は、前記軟質製本体下端の開口と対向する上端を開放し、外表面にネジ穴や接合線を有しない一体成形された腰部本体と、
　前記腰部本体内に備えられ、前記下半身連結部材を差し込み連結可能な上半身部品連結構造とを備え、
　前記上半身部品連結構造は、前記下半身連結部材と対向し、前記腰部本体の開放部位に位置して備えられ、
　前記下半身連結部材と前記上半身部品連結構造は、
円柱状の棹部と、該棹部を嵌合し、かつ上下方向で差込み連結かつ引き抜き分離可能な円筒状の差込み穴とによって構成され、
　前記上半身部品と前記下半身部品は、
軟質製本体下端の開ロと腰部本体の開放部位にそれぞれ位置している前記棹部と前記差込み穴との上下方向の差込み又は引き抜きのみによって着脱自在に連結されていることを特徴とする可動人形用胴体。
 【請求項２】 
　軟質性本体は、アンダーバストの位置と腹部との接触角が鋭角である乳房部を備え、接合線の無い一体成形品であることを特徴とする請求項１に記載の可動人形用胴体。」
　
第６　無効理由ついての当審の判断
１　無効理由３（発明の明確性要件違反）について
　最初に、請求人の主張する無効理由３について検討する。
　本件特許発明１、及び当該特許発明を引用して記載されている本件特許発明２では、「軟質性本体」という用語（下記の下線部）は孤立して用いられているのではなく、どのようなものであるかを特定する他の用語とともに、次のように用いられている。
「前記上半身部品は、スラッシュ成形により接合線なく一体成形され、かつ下端に開口を設けた塩化ビニル樹脂製の中空の
軟質製本体
　一方、本件特許明細書等の段落【００１０】には、「上半身部品」について、「上半身部品４０は、上端と下端そして左右の腕部連結部位に夫々開口４２，４３，４４を有してなる中空状の上半身部品本体４１と、該本体４１内に嵌め込み状に内装される芯材４８と、上記開口４４を介して芯材４８と連結される左右の腕部３６と、開口４２を介して芯材４８と連結される首部３８を備えて構成されている。…（中略）…上記上半身部品本体４１を構成する軟質材は、芯材４８の揺動作動によって変形可能な程度に軟質であればよく、例えば、塩化ビニル樹脂などの軟質合成樹脂材でスラッシュ成形等したものが代表例として挙げられる。なお、上記本体４１の軟質材は、塩化ビニル樹脂などの軟質合成樹脂材に限定されず、他の軟質合成樹脂材であってもよく、また軟質ゴム材などから一体成形されるものであってもよい。…（以下略）」との記載がある。
　これらの記載を併せ読むならば、本件特許発明１、２の「軟質性本体」が、本件特許明細書に記載されている「上半身部品本体４１」に対応する部材を意味する用語として用いられていることは明らかである。
　したがって、本件特許の請求項１、２に係る発明の「軟質性本体」という文言は明確であるといえるから、請求人の主張する無効理由３を採用することはできず、本件特許発明１、２に係る特許は特許法第１２３条第１項第４号の規定に該当しない。
　
２　無効理由１（第１商品発明と第２商品発明に基く容易想到性）について
（１）第１商品発明、第２商品発明の公然実施性
（１−１）第１商品発明
　被請求人は、第１商品が本件特許の出願前に発売されたことを認めており（平成２３年２月１５日付けの答弁書第１２頁参照）、第１商品発明が本件特許の出願前に公然実施をされた発明であることについて当事者間に争いはないが、念のため、第１商品が本件特許の出願前に発売された事実を示す証拠方法として請求人が提出した甲第２ないし４号証について検討する。
ア　甲第２ないし４号証に掲載された人形の発売時期について
　甲第２ないし４号証は、いずれも本件特許の出願前に発行された刊行物である。
　甲第２号証の第３頁には「恒例となった夏のガレージキットカタログも今年で第１１弾を迎えることとなった。果たして今年はどんなキットがどれくらい発売されたのか？」と記載され、第７８頁の「［REAL ACTION HEROES］」の欄には「メディコム・トイより毎月約２体リリースされている、リアルアクションヒーローズは…（中略）…全身が可動する完成品人形である。」と記載され、第７８頁の「デビルマン原作版」の欄には「○３　９８００円、発売中」という記載とともに人形の写真が掲載されている。したがって、甲第２号証の第７８頁の「デビルマン原作版」の欄に掲載された人形は、甲第２号証の上記発行日以前に発売されたと認めることができる。
　甲第３号証の表紙の折り返しには、「変身サイボーグとは、男の子向け「着せ替えヒーロー人形」のシリーズ名である（１９７２〜１９７５／タカラ）。人形本体と「変身セット」と呼称されるコスチュームに大別され、…（中略）…さらに、最近この「変身人気」を背景にメディコム・トイから販売されている「リアルアクションヒーローズ」も同時掲載した。」と記載され、第８７頁には「１９９７」、「DEVIL MAN」、「(comic version)」という記載とともに人形の写真が掲載されている。したがって、甲第３号証の第８７頁の「１９９７」、「DEVIL MAN」、「(comic version)」という記載とともに掲載された人形は、甲第３号証の上記発行日以前に発売されたと認めることができる。
　甲第４号証の第９４頁には「原作版デビルマン」、「９７年５月下旬発売」という記載とともに人形の写真が掲載されており、第１０２頁には「メディコム・トイの歴史ともいえる発売されたフィギュアたち。その全部を漏らすことなくリストにした。」と記載され、甲第４号証の第１０２頁には「リアルアクションヒーローズＮｏ．３０」、「原作版デビルマン」という記載とともに人形の写真が掲載され、さらに、「○１　商品名」、「○３　発売年月」、「Ｎｏ．３０　○１　原作版デビルマン」、「○３　９７年５月」と記載されている。したがって、甲第４号証の第９４頁及び第１０２頁の「原作版デビルマン」という記載とともに掲載された人形は、遅くとも１９９７年５月末日以前には発売されていたと認めることができる。
　したがって、甲第２ないし４号証に掲載されたデビルマンに係る人形は、いずれも本願出願前に発売されたものと認めることができる。
　
イ　第１商品と甲第２ないし４号証に掲載された人形との同一性について
　次の（ａ）ないし（ｅ）を総合勘案すると、第１商品と甲第２ないし４号証に掲載された人形は同一であると推認することができる。
（ａ）甲第１号証の１に示された「写真１」及び「写真４」と、甲第２号証の第７８頁の「デビルマン原作版」の欄に掲載された写真、甲第３号証の第８７頁の「１９９７」、「DEVIL MAN」、「(comic version)」という記載とともに掲載された写真、甲第４号証の第９４頁及び第１０２頁の「原作版デビルマン」という記載とともに掲載された写真を比べると、第１商品と甲第２ないし４号証に掲載された写真に係る人形はいずれもデビルマンに係る人形であって、その外観は極めて似ている。
（ｂ）甲第１号証の１の「写真１」、「写真２」及び甲第１号証の２には「REAL ACTION HEROES」という記載が存在し、甲第１号証の１の「写真３」には「（株）メディコム・トイ」という記載が存在するのに対し、甲第２号証の第７８頁の「［REAL ACTION HEROES］」の欄には「メディコム・トイより毎月約２体リリースされている、リアルアクションヒーローズ」と記載され、甲第３号証の表紙の折り返しには「さらに、最近この「変身人気」を背景にメディコム・トイから販売されている「リアルアクションヒーローズ」も同時掲載した。」と記載され、甲第４号証の第９４頁及び第１０２頁の「原作版デビルマン」の欄には「リアルアクションヒーローズＮｏ．３０」と記載されているとともに、甲第４号証の第１０２頁には「メディコム・トイの歴史ともいえる発売されたフィギュアたち。その全部を漏らすことなくリストにした。」と記載されていることから、第１商品と甲第２ないし４号証のデビルマンに係る人形はいずれも株式会社メディコム・トイから「リアルアクションヒーローズ」というシリーズで販売された人形である点で共通する。
（ｃ）甲第１号証の２には「この製品はボディ内部にフル可動ボディを組み込んであり、全身が可動します。」、「［可動ボディ ○Ｃ TAKARA 1995］」（当審注：「○Ｃ」は「丸の中にＣ」を意味する。以下同様。）と記載されているのに対し、甲第２号証の第７８頁の「［REAL ACTION HEROES］」の欄には「メディコム・トイより毎月約２体リリースされている、リアルアクションヒーローズはタカラ製のニューコンバットジョーを内蔵し」と記載され、甲第４号証の第１０３頁には「リアルアクションヒーローズの全ての商品はニューコンバットジョーの採用により全身全１５箇所可動 ○Ｃ TAKARA」記載されていることから、第１商品と甲第２及び４号証のデビルマン原作版に係る人形はいずれも内部にタカラ製の可動ボディが組み込まれたものである点で共通する。
（ｄ）甲第１号証の２には「３０．Devil Man コミックバージョン…（中略）…￥９，８００」と記載されているのに対し、甲第２号証の第７８頁の「デビルマン原作版」の欄には「○３　９８００円、発売中」と記載され、甲第４号証の第９４頁の「原作版デビルマン」の欄には「価格￥９８００　９７年５月下旬発売」と記載されていることから、第１商品と甲第２及び４号証のデビルマンに係る人形はいずれも９８００円で販売されていた点で共通する。
（ｅ）甲第１号証の１の「写真１」及び「写真２」には「DevilMan」、「COMIC VERSION」という記載が存在し、甲第１号証の２には「Devil Man COMIC VERSION」及び「デビルマン〜コミックバージョン」、と記載されているのに対し、甲第２号証の第７８頁には「デビルマン原作版」と記載され、甲第４号証の第９４頁には「原作版デビルマン」と記載され、甲第４号証の第１０２頁には「○１　商品名」、「Ｎｏ．３０　○１　原作版デビルマン」と記載されていることから、第１商品はデビルマンの「コミックバージョン」に係る人形であるのに対し、甲第２及び４号証のデビルマンに係る人形はデビルマンの「原作版」に係る人形である点で一応相違するが、デビルマンの原作版はデビルマンの漫画版すなわちコミックバージョンであることは本件特許の出願時において当業者にとって常識的な事項であるから、かかる常識的事項に照らすと、第１商品と甲第２及び４号証の原作版デビルマンに係る人形はいずれもデビルマンの「コミックバージョン」に係る人形である点で共通している。
　
ウ　第１商品の本件特許出願前の公然実施についての小括
　したがって、本件特許の出願前に第１商品が発売されたことを被請求人が認めていることに加え、請求人が提出した甲第２〜４号証に掲載されたデビルマンに係る人形はいずれも本件特許の出願前に発売されたものと認めることができ、第１商品と甲第２〜４号証のデビルマンに係る人形は同一であると推認することができるから、第１商品は本件特許の出願前に発売されたものであって、第１商品発明は本件特許の出願前に公然実施をされた発明であると認めることができる。
　
（１−２）第２商品発明
　請求人は、第２商品が本件特許の出願前に発売されたものであるとし、証拠方法として甲第６ないし８号証及び甲第１７ないし２１号証を提出しているが、被請求人は、第２商品が本件特許の出願前に発売されたことについて争っている。そこで、上記甲第６ないし８号証及び甲第１７ないし２１号証について検討する。
ア　甲第６ないし８号証に掲載された人形の発売時期について
　甲第６ないし８号証は、いずれも本件特許出願前に発行された刊行物である。
　提出された甲第６号証の第２葉には「お待たせいたしました！　毎年恒例となったホビージャパン謹製「GARAGE KIT CATALOG」を今年も貴方へお贈りいたします。…（中略）…　今回のカタログ号、「GARAGE KIT CATAROG ‘99」には、前回を軽く上回る約1000点のアイテムを掲載。’98年７月から’99年７月に発売されたＧＫアイテムはこれ一冊でバッチリチェックできます。」と記載され、第１０２頁右上には、「ボークス　エクセレントボディをはじめとする各種ドールボディを発売するボークスは…（以下略）」という記載の下に、「→（当審注：右向き黒抜き三角）幻の素体Ａ，Ｄ」「ＧＫテイストあふれるレジン製の組み立て式ボディで、ポリキャップにより各関節が可動する。左が美乳のＡタイプ、右が少年用のＤタイプ。（各５８００円）」と記載され、その右側に２つの人形の写真が掲載されている。したがって、甲第６号証の第１０２頁の「美乳のＡタイプ」を含む「幻の素体Ａ、Ｄ」として掲載された人形は、遅くとも１９９９年７月末日以前に発売されたと認めることができる。さらに、第１０２頁の多くの人形の写真の説明の最後には「○問ボークス（当審注：「○問」は「丸の中に問」を意味する）。」との記載がなされている。
　甲第７号証は「VOLKS PERFECT FILE THAT’S ALL ABOUT VOLKS 1999」という刊行物であって、甲第７号証の第８７頁の上方には「…頭部差し替えで全メーカーの１／６フィギュアに対応する懐の深さも魅力だ。」と記載され、同右欄には、「００１エクセレント−Ａ（美乳）\2,200　ABS樹脂製で各関節可動の完成品アイテム。００２エクセレント−Ｂ（巨乳）\2,200　…（中略）…　００３エクセレント−Ｃ（少年）\2,200　…（中略）…　００４ビューティー−Ａ（美乳）\1,200　…（中略）…　００５ビューティー−Ｂ（巨乳）\1,200　…（中略）…　００６ビューティー−Ｃ（少年）\1,200　…（中略）…　００７幻の素体Ａ（美乳巨乳コンパチ）\5,800　高級ウレタン製で足首２種付属の組立キット。　００８幻の素体Ｂ（一部可動・美乳）\4,200　…（中略）…　００９幻の素体Ｃ（一部可動・巨乳）\4,200　…（中略）…　０１０幻の素体Ｄ（少年）\5,800　…（以下略）」と記載され、同中央には上記記載の番号に対応する各番号の記載の下に各人形の写真が掲載されている。そうすると、甲第７号証の第８７頁の各番号の記載の下に掲載された人形は、本件特許出願前である甲第７号証の発行日前に既に発売されていたと推定することができる。
　提出された甲第８号証の第２葉上方には「ウルティメイト　フィギュア　1/6いよいよ新発売　只今“素体”全８種新発売！」と記載され、その下方に「○１エクセレント−Ａ・・・\2,200（ABS製・美乳タイプ・フルアクション・足首２種付属・完成体）　○２エクセレント−Ｂ・・・\2,200（ABS製・巨乳タイプ・フルアクション・足首２種付属・完成体）　○３ビューティー−Ａ・・・\1,200（ソフビ製・美乳タイプ・一部可動・完成体）　○４ビューティー−Ｂ・・・\1,200（ソフビ製・巨乳タイプ・一部可動・完成体）　○５幻の素体−Ａ・・・\5,800（ウレタン製・美乳巨乳タイプ・フルアクション・足首２種付属・組立キット）　○６幻の素体−Ｂ・・・\4,200（ウレタン製・美乳タイプ・一部可動・足首２種付属・組立キット）　○７新製品■幻の素体（少年）・・・\5,800（ウレタン製・フルアクション・足首２種付属・組立キット）　○８近日発売■幻の素体−Ｃ・・・\4,200（ウレタン製・巨乳タイプ・一部可動・足首２種付属・組立キット）」と記載され、その下方に、○１ないし○７の番号が付された人形の写真が掲載されている。そうすると、提出された甲第８号証の第２葉に、近日発売とされて記載された「○８幻の素体−Ｃ」以外の、○１ないし○７の番号が付された人形は、本件特許出願前である甲第８号証の発行日前に発売されていたと認めることができる。さらに、提出された甲第８号証の第２葉の下部には「ＧＫ新時代を拓く“ボークスショールーム”は７店！」と記載され、枠の外下方には「全国どこへでも　ＶＳボークス通販隊」という記載がある。
　ここで、上記の甲第６ないし８号証に掲載された人形の写真の類似性を甲各号証の記載事項を総合勘案して検討するに、甲第６号証の第１０２頁右上に掲載された写真の左側の人形、甲第７号証の第８７頁の「００７」の下に掲載された写真の人形、提出された甲第８号証の第２葉の○５の番号が付された写真の人形は、いずれも「ボークス」の商品と推認でき、「幻の素体」及び「Ａ」の名称を具備し、価格が「\5,800」である点で共通していて、外観上、胸部、腹部、腰部に組立線がある点等でも共通していることから、甲第６ないし８号証に掲載された上記各人形は同一のものであって、本件特許の出願前に発売されていたものであると認めることができる。
　
イ　第２商品と甲第６ないし８号証に掲載された人形との同一性について
　次の（ａ）ないし（ｃ）を総合勘案すると、第２商品と、甲第６号証の第１０２頁右上に掲載された写真の左側の人形、甲第７号証の第８７頁の「００７」の下に掲載された写真の人形、提出された甲第８号証の第２葉の○５の番号が付された写真の人形は同一であると推認することができる。
（ａ）甲第５号証の１に示された「写真８」ないし「写真１４」と、甲第６号証の第１０２頁右上に掲載された写真の左側の人形、甲第７号証の第８７頁の「００７」の下に掲載された写真の人形、提出された甲第８号証の第２葉の○５の番号が付された写真の人形を比べると、第２商品と甲第６ないし８号証に掲載された上記写真に係る人形はいずれも女性の裸体を模した人形であって、上述の胸部、腹部、腰部に組立線がある点等を含め、その外観は極めて似ている。
（ｂ）甲第５号証の１の「写真１」ないし「写真６」から、第２商品のパッケージには、「幻の素体−Ａ」、「ＶＳ　株式会社ボークス」、「ＶＯＬＫＳ　ＩＮＣ」、「\5,800」という記載が存在し、甲第５号証の２には「幻の素体−Ａ」、「（株）ボークス　パーツ請求係」、「ボークス通販隊」という記載が存在するのに対し、甲第６ないし８号証に掲載された上記写真に係る人形が、いずれも「ボークス」の商品と推認でき、「幻の素体」及び「Ａ」の名称を具備し、価格が「\5,800」であることは上述のとおりであるから、第２商品と甲第６ないし８号証に掲載された上記写真に係る人形はいずれも株式会社ボークスから「幻の素体」及び「Ａ」の名称を付されて、「\5,800」で販売された人形である点で共通する。
（ｃ）甲第５号証の１の「写真９」ないし「写真１４」からして、第２商品は腰部と腹部の間、腹部と胸部の間で可動であるのに対し、甲第６あるいは甲第７号証には、上記「ア」で摘記したように、各関節が可動であることやフルアクションとの記載があることから、第２商品と甲第６ないし８号証に掲載された上記写真に係る人形は、いずれも腰部と腹部の間、腹部と胸部の間で可動である点で共通している。
　
ウ　第２商品の公然実施に関する被請求人の主張について
　被請求人は、第２商品について、ａ）第２商品と甲第６ないし８号証に掲載された写真の係る人形が同一であるとはいえないこと、ｂ）甲第６号証には、「なお当カタログに収録した作品の中には、すでに絶版または品切れになっているものも含まれます。」と記載されていることからして、甲第６号証に掲載された写真の人形が実際に販売されたとはいえないこと、ｃ）甲第７号証には、掲載されている人形が販売されているとの記載がないこと、ｄ）甲第８号証の「1/6いよいよ新発売」の記載は１月６日新発売と解することもでき、本件特許出願前に販売されていたことを立証するものではないことを主張し、第２商品発明が本件特許出願前に公然実施されたことを否認する。
　しかしながら、上記ａ）については上記「イ」で述べたとおりであり、その他上記ｂ）〜ｄ）の主張は、被請求人の独自の見解を開陳するにすぎないものであって、その主張の根拠として提出した乙第１ないし６号証は、単に発売中止された人形が存在することを示すものにすぎず、第２商品、あるいは、甲第６ないし８号証に掲載された商品が発売に至らなかった事実を立証する、発売に至らなかったことを推認せしめる、あるいは、発売されたことに疑念を抱かせる証拠は何ら提出していない。したがって、被請求人の主張は採用に値しない主張である。
　
エ　第２商品の本件特許出願前の公然実施についての小括
　したがって、請求人が提出した甲第６〜８号証に掲載された写真に係る人形のうち、甲第６号証の第１０２頁に掲載された写真の左側の人形、甲第７号証の第８７頁の「００７」の下に掲載された写真の人形、提出された甲第８号証の第２葉の○５の番号が付された写真の人形は、いずれも本件特許の出願前に発売されたものと認めることができ、第２商品と上記甲第６〜８号証に掲載された写真に係る人形は同一であると推認することができるから、第２商品は本件特許の出願前に発売されており、第２商品発明は本件特許の出願前に公然実施をされた発明であると認めることができる。
　
（２）容易想到性についての検討
　上記のとおり、第１商品発明、第２商品発明はいずれも本件特許の出願前に公然実施をされた発明であると認めることができるから、請求人の主張する容易想到性について検討する。
ア　引用発明の認定
　最初に、第１商品が本件特許の出願前に発売されたことによって本件特許の出願前に公然実施をされた発明について検討する。
　甲第１号証の１の写真６から、第１商品は、左右の腕部を構成する部材（以下「腕部材」という。）、胸部と腹部を構成する部材（以下「上半身部材」という。）、上半身部材を覆うカバー部材（以下「上半身カバー部材」という。）、腰部分を構成する部材（以下「腰部材」という。）、左右の脚部を構成する部材（以下「脚部材」という。）を有し、腕部材、上半身部材、腰部材及び脚部材が組み立てられ、上半身部材の前面部と背面部とがねじ止めされ、腰部材の前面部と背面部がねじ止めされていることが理解できる。さらに、甲第１号証の１の写真１３、１４、２５〜２９を参酌することにより、第１商品は、腕部材、上半身部材、腰部材及び脚部材が組み立てられ、上半身部材の前面部と背面部とがねじ止めされ、腰部材の前面部と背面部がねじ止めされ、上半身部材が上半身カバー部材で覆われた状態（以下「組み立て状態」という。）では、上半身部材と腰部材を分離することができないことがわかる。
　甲第１号証の１の写真７、８から、第１商品は、上半身部材が上半身カバー部材で覆われた状態において、上半身カバー部材を指示棒の先で押すと、上半身カバー部材が少し凹状に変形して上半身カバー部材越しに指示棒の先が上半身部材に当接することがわかる。 
　甲第１号証の１の写真９〜１１、２４、３０から、第１商品は、組み立て状態で、腰部材を固定しつつ上半身部材に対し前後左右方向に力を加えると、腰部材に対し上半身部材が力を加えた方向に傾き、腰部材を固定しつつ上半身部材に対し捩りの力を加えると、上半身部材が腰部材に対し力を加えた方向に捩られるとともに、目視の範囲では上半身カバー部材にシワの発生は認められないことがわかる。
　甲第１号証の１の写真１２〜１４、２９、３０から、第１商品は、組み立て状態から腰部材のネジを外すことによって、腰部材の前面部と背面部とが分離して、前記組み立て状態から腰部材を取り外すことができ、そして、前記組み立て状態から腰部材を取り外すと、上半身部材の下端の開口から乳白色の部材が突出していて、前記組み立て状態から腰部材を取り外した状態において、乳白色の部材から脚部材を取り外すことができることがわかり、また、第１商品の乳白色の部材は略逆Ｔ字状の部材であって、乳白色の部材の略逆Ｔ字の横棒部分が脚部材に設けられた穴に嵌め込まれていて、組み立て状態から腰部材及び脚部材を取り外した物に対し、腰部材及び脚部材を組み付け可能であることが理解できる。
　甲第１号証の１の写真１５、１６、３２から、第１商品の上半身カバー部材は中空であって、上半身部材は上半身カバー部材内に内装されており、上半身カバー部材は、腕部材が取り外された上半身部材に対し着脱可能であることがわかる。
　甲第１号証の１の写真７、８、１０〜１２、３２等から、第１商品の上半身カバー部材の外観は、背中から肩を経て胸にかけて赤い線状の模様が左右両方に形成され、腹部に相当する位置に腹筋状の模様が形成され、腹部に相当する位置が黒色であり、その他の部分が肌色であることがわかる。
　甲第１号証の１の写真１７〜１９から、第１商品の上半身カバー部材に先端が削られていない鉛筆の先を押し当てながら上半身カバー部材に約６０グラムの荷重をかけると、上半身カバー部材は凹んで変形すること、上半身カバー部材を手で軽く捩ると、上半身カバー部材は捩れるが、目視の範囲では上半身カバー部材にシワの発生は認められないことがわかる。
　甲第１号証の１の写真２０、２３から、第１商品の上半身部材及び腰部材に先端が削られていない鉛筆の先を押し当てながら上半身部材及び腰部材にそれぞれ約４００グラムの荷重をかけても、目視の範囲では上半身部材及び腰部材は変形しないことがわかる。
　甲第１号証の１の写真２４、３０から、第１商品の略逆Ｔ字状の乳白色の部材の略逆Ｔ字の横棒部分は円柱状であり、表面にねじ山状の凹凸が形成されており、同縦棒部分は柱状体であり、前記柱状体の側面には、前記略逆Ｔ字状の乳白色の部材の略逆Ｔ字の横棒部分の延在方向に広がりかつ略逆Ｔ字の縦棒部分の先端に向かうにつれて幅広となる薄肉部と、前記略逆Ｔ字の横棒部分及び縦棒部分に直交する方向に突出する突起部が形成されていること、略逆Ｔ字状の乳白色の部材の略逆Ｔ字の縦棒部分の上部に上面が略平面で下面が略半球状である皿状の膨大部が形成され、前記略逆Ｔ字状の乳白色の部材の略逆Ｔ字の縦棒部分の先端にばね及びばね受けが設けられていることがわかる。
　甲第１号証の１の写真２５、２６から、第１商品の上半身部材の前面部と背面部はねじ止めされていて、上半身部材の前面部と背面部のそれぞれの腹部の下端には、切り欠きが形成され、上半身部材の前面部と背面部とを組み合わせると、上半身部材の前面部と背面部のそれぞれの腹部の下端に形成された切り欠きが組み合わされて、略逆Ｔ字状の乳白色の部材の略逆Ｔ字の縦棒部分の柱状体を通すが、乳白色の部材の皿状の膨大部を通さない大きさの開口が形成されることがわかる。
　甲第１号証の１の写真６、２８〜３１から、第１商品の腰部材の形状は略Ｔ字状で、腰部材の前面部と背面部はねじ止めされていて、略Ｔ字状の腰部材の前面部及び背面部のそれぞれは、略Ｔ字の横棒部分の上部及び縦棒部分の左右側面に切り欠きが形成され、略Ｔ字状の腰部材の前面部及び背面部のそれぞれは、略Ｔ字の縦棒部分と横棒部分が交わる部分付近に、略中央部に切り欠きを有する曲面状の板状突出部を備えていることがわかる。また、腰部材の前面部と背面部とを組み合わせると、（ａ）腰部材の前面部及び背面部の略Ｔ字の横棒部分の上方に形成された切り欠きが組み合わされて、上半身部材の腹部を受け入れるための開口が形成され、（ｂ）腰部材の前面部及び背面部の略Ｔ字の縦棒部分の左右側面に形成された切り欠きが組み合わされて、略逆Ｔ字状の乳白色部材の横棒部分を腰部材から突出させるための開口が形成され、（ｃ）腰部材の前面部の板状突出部と腰部材の背面部の板状突出部とが隙間を空けて対向配置されるとともに、腰部材の前面部及び背面部の板状突出部の切り欠きが組み合わされて前記隙間の略中央部に略円形の開口が形成されることがわかる。
　甲第１号証の１の写真６、１２、１４、２４、２５、２９〜３１、及び、第１商品の、「組み立て状態で、腰部材を固定しつつ上半身部材に対し前後左右方向に力を加えると、腰部材に対し上半身部材が力を加えた方向に傾き、腰部材を固定しつつ上半身部材に対し捩りの力を加えると、上半身部材が腰部材に対し力を加えた方向に捩られる」という機能からして、第１商品の略Ｔ字状の腰部材の前面部及び背面部のそれぞれの、略Ｔ字の縦棒部分と横棒部分が交わる部分付近に設けられた曲面状の板状突出部の下部に、略円形の開口を有する突起を備えていて、（ア）乳白色の部材の縦棒部分の先端に形成されたばねによって前記乳白色の部材の皿状の膨大部が押圧されて、前記皿状の膨大部の略半球状の下面と上半身部材の腹部の内面とが当接し、（イ）上半身部材の前面部及び背面部を組み合わせたときに上半身部材の前面部及び背面部の腹部の下端に形成された切り欠きが組み合わされて形成される開口、腰部材の前面部及び背面部を組み合わせたときに腰部材の前面部及び背面部の略Ｔ字の横棒部分の上部の切り欠きが組み合わされて形成される開口、及び、腰部材の前面部及び背面部を組み合わせたときに腰部材の前面部及び背面部の板状突出部の切り欠きが組み合わされて形成される略円形の開口に、略逆Ｔ字状の乳白色の部材の略逆Ｔ字の縦棒部分の柱状体が嵌合され（ウ）略逆Ｔ字状の乳白色の部材の突起部が腰部材の突起の略円形の開口に嵌め込まれ、（エ）腰部材の前面部及び背面部を組み合わせたときに腰部材の前面部の板状突出部と腰部材の背面部の板状突出部と間に形成される隙間に略逆Ｔ字状の乳白色の部材の薄肉部が嵌合されることによって、（オ）上半身部材と腰部材が略逆Ｔ字状の乳白色の部材によって連結され、（カ）当該連結構造により、腰部材の前面部を固定しつつ上半身部材の前面部に対し左右方向に力を加えると、略逆Ｔ字状の乳白色の部材の皿状の膨大部の略半球状の下面と上半身部材の腹部の内面とが摺動して、上半身部材が腰部材に対して力を加えた方向に傾くものと認められる。
　そして、第１商品は、頭部材、腕部材、略逆Ｔ字状の乳白色の部材、上半身部材、上半身カバー部材、腰部材、脚部材がすべて分解された状態から、（あ）略逆Ｔ字状の乳白色の部材を上半身部材の前面部の腹部の内面に取り付け、（い）次いで、上半身部材の前面部と背面部とを組み合わせて、両者をねじ止めし、（う）次いで、略逆Ｔ字状の乳白色の部材が組み込まれた上半身部材に上半身カバー部材を被せ、（え）次いで、上半身部材から突出する略逆Ｔ字状の乳白色の部材に腰部材の前面部及び背面部を取り付けて、両者をねじ止めし、（お）次いで、略逆Ｔ字状の乳白色の部材の略逆Ｔ字の横棒部分に脚部材を嵌め込んで取り付けることにより、組み立て状態に戻すことができることは明らかであるといえる。　
　また、甲第１号証の１の写真２５、２９ないし３１から、第１商品は、腰部材の前面部及び略逆Ｔ字状の乳白色の部材を固定しつつ上半身部材の前面部に対し左右方向に力を加えると、略逆Ｔ字状の乳白色の部材の皿状の膨大部の略半球状の下面と上半身部材の腹部の内面とが摺動して、上半身部材が腰部材及び略逆Ｔ字状の乳白色の部材に対して力を加えた方向に傾くものであることは明らかである。また、甲第１号証の１の写真６、１２、１３を参照することにより、第１商品は、上半身部材を覆うカバー部材の下端に開口があり、略逆Ｔ字状の乳白色の部材が前記開口に位置して備えられていることも明らかである。 
　そうすると、第１商品が本件特許の出願前に発売されたことにより、次の発明（以下「引用発明」という。）が、本件特許の出願前に公然実施をされていたと認めることができる。
　
〈引用発明〉
「左右の腕部を構成する部材（以下「腕部材」という。）、胸部及び腹部を構成する部材（以下「上半身部材」という。）、上半身部材を覆うカバー部材（以下「上半身カバー部材」という。）、腰部分を構成する部材（以下「腰部材」という。）、左右の脚部を構成する部材（以下「脚部材」という。）を有するコミックバージョンのデビルマンに係る人形において、
　上半身部材が上半身カバー部材で覆われた状態において、上半身カバー部材を指示棒の先で押すと、上半身カバー部材が少し凹状に変形して上半身カバー部材越しに指示棒の先が上半身部材に当接し、
　腕部材、上半身部材、腰部材及び脚部材が組み立てられ、上半身部材の前面部と背面部とがねじ止めされ、腰部材の前面部と背面部がねじ止めされ、上半身部材が上半身カバー部材で覆われた状態（以下「組み立て状態」という。）において、腰部材を固定しつつ上半身部材に対し前後左右方向に力を加えると腰部材に対し上半身部材が力を加えた方向に傾き、腰部材を固定しつつ上半身部材に対し捩りの力を加えると腰部材に対し力を加えた方向に捩られるものであり、
　組み立て状態から腰部材のねじを外すことによって腰部材の前面部と背面部とが分離して組み立て状態から腰部材を取り外すことができ、組み立て状態から腰部材を取り外すと上半身部材の下端の開口から略逆Ｔ字状の乳白色の部材が突出しており、組み立て状態から腰部材を取り外した状態において、略逆Ｔ字状の乳白色の部材から脚部材を取り外すことができ、上半身部材を覆うカバー部材の下端に開口があり、略逆Ｔ字状の乳白色の部材が前記開口に位置して備えられており、
　組み立て状態から腰部材及び脚部材を取り外したものに対して、上半身部材から突出する略逆Ｔ字状の乳白色の部材に腰部材の前面部及び背面部を取り付けて両者をねじ止めし、次いで、略逆Ｔ字状の乳白色の部材の略逆Ｔ字の横棒部分を脚部材に設けられた穴に嵌め込んで取り付けることにより、組み立て状態とすることができ、
　上半身カバー部材は中空であって、上半身カバー部材に先端が削られていない鉛筆の先を押し当てながら上半身カバー部材に約６０グラムの荷重をかけると、上半身カバー部材は凹んで変形し、
　上半身部材は、上半身部材に先端が削られていない鉛筆の先を押し当てながら上半身部材に約４００グラムの荷重をかけても、目視の範囲では上半身部材に変形は認められず、
　上半身部材は上半身カバー部材内に内装され、上半身カバー部材は、腕部材が取り外された上半身部材に対し着脱可能であり、
　略逆Ｔ字状の乳白色の部材の略逆Ｔ字の縦棒部分は柱状体であり、前記柱状体の側面には、前記略逆Ｔ字状の乳白色の部材の略逆Ｔ字の横棒部分の延在方向に広がりかつ略逆Ｔ字の縦棒部分の上部に向かうにつれて幅広となる薄肉部と、前記略逆Ｔ字の横棒部分及び縦棒部分に直交する方向に突出する突起部が形成され、略逆Ｔ字状の乳白色の部材の略逆Ｔ字の縦棒部分の上部に上面が略平面で下面が略半球状である皿状の膨大部が形成され、前記略逆Ｔ字状の乳白色の部材の略逆Ｔ字の縦棒部分の先端にばね及びばね受けが設けられ、
　上半身部材の前面部と背面部はねじ止めされ、上半身部材の前面部と背面部のそれぞれの腹部の下端には、切り欠きが形成され、上半身部材の前面部と背面部とを組み合わせると、上半身部材の前面部と背面部のそれぞれの腹部の下端に形成された切り欠きが組み合わされて、略逆Ｔ字状の乳白色の部材の略逆Ｔ字の縦棒部分の柱状体を通すが、乳白色の部材の皿状の膨大部を通さない大きさの開口が形成され、
　腰部材の形状は、略Ｔ字状であり、腰部材の前面部と背面部はねじ止めされ、略Ｔ字状の腰部材の前面部及び背面部のそれぞれは、略Ｔ字の横棒部分の上部及び縦棒部分の左右側面に切り欠きが形成され、略Ｔ字状の腰部材の前面部及び背面部のそれぞれは、略Ｔ字の縦棒部分と横棒部分が交わる部分付近に、略中央部に切り欠きを有する曲面状の板状突出部を備え、略Ｔ字状の腰部材の前面部及び背面部のそれぞれは前記曲面状の板状突出部の下部に略円形の開口を有する突起を備え、腰部材の前面部と背面部とを組み合わせると、（ａ）腰部材の前面部及び背面部の略Ｔ字の横棒部分の上部に形成された切り欠きが組み合わされて、上半身部材の腹部を受け入れるための開口が形成され、（ｂ）腰部材の前面部及び背面部の略Ｔ字の縦棒部分の左右側面に形成された切り欠きが組み合わされて、略逆Ｔ字状の乳白色部材の略逆Ｔ字の横棒部分を腰部材から突出させるための開口が形成され、（ｃ）腰部材の前面部の板状突出部と腰部材の背面部の板状突出部とが隙間を空けて対向配置されるとともに、腰部材の前面部及び背面部の板状突出部の切り欠きが組み合わされて前記隙間の略中央部に略円形の開口が形成され、
　略逆Ｔ字状の乳白色の部材の略逆Ｔ字の縦棒部分の先端に形成されたばねによって前記乳白色の部材の皿状の膨大部が押圧されて、前記皿状の膨大部の略半球状の下面と上半身部材の腹部の内面とが当接し、
　略逆Ｔ字状の乳白色の部材の突起部が腰部材の突起の略円形の開口に嵌め込まれ、上半身部材の前面部及び背面部を組み合わせたときに上半身部材の前面部及び背面部の腹部の下端に形成された切り欠きが組み合わされて形成される開口、腰部材の前面部及び背面部を組み合わせたときに腰部材の前面部及び背面部の略Ｔ字の横棒部分の上部の切り欠きが組み合わされて形成される開口、及び、腰部材の前面部及び背面部を組み合わせたときに腰部材の前面部及び背面部の板状突出部の切り欠きが組み合わされて形成される略円形の開口に、略逆Ｔ字状の乳白色の部材の略逆Ｔ字の縦棒部分の柱状体が嵌合され、腰部材の前面部及び背面部を組み合わせたときに腰部材の前面部の板状突出部と腰部材の背面部の板状突出部と間に形成される隙間に略逆Ｔ字状の乳白色の部材の薄肉部が嵌合されることにより、上半身部材と腰部材が連結され、
　腰部材の前面部及び略逆Ｔ字状の乳白色の部材を固定しつつ上半身部材の前面部に対し左右方向に力を加えると、略逆Ｔ字状の乳白色の部材の皿状の膨大部の略半球状の下面と上半身部材の腹部の内面とが摺動して、上半身部材が腰部材及び略逆Ｔ字状の乳白色の部材に対して力を加えた方向に傾く、
　コミックバージョンのデビルマンに係る人形。」
　
イ　本件特許発明１と引用発明の対比 
（ア）「上半身部品」及び「下半身部品」の定義について
　本件特許明細書の発明の詳細な説明の段落【０００１】には、「本明細書において、「上半身部品」とは、腰より上の部分をいい、「下半身部品」とは腰から下の部分（腰部含む）をいうものとする。」と記載されている。引用発明の「上半身部材」及び「上半身カバー部材」はいずれも「腰部材」より上の部分の部材であり、引用発明の「腰部材」及び「脚部材」は腰を含む腰から下の部材である。したがって、引用発明の「上半身部材」及び「上半身カバー部材」は本件特許発明１の「上半身部品」に相当し、引用発明の「腰部材」及び「脚部材」は本件特許発明１の「下半身部品」に相当する。
 　 
（イ）本件特許発明１と引用発明の一致点の検討 
　次に、本件特許発明１と引用発明の一致点について検討する。
（ａ）引用発明の「上半身部材」及び「上半身カバー部材」が引用発明の「腰部材」及び「脚部材」とは別体の部材であることは、上記「ア」から明らかである。したがって、引用発明と本件特許発明１は、少なくとも上半身部品と下半身部品が別成形される点で一致する。
（ｂ）引用発明は、腕部材、上半身部材、腰部材及び脚部材が組み立てられ、上半身部材の前面部と背面部とがねじ止めされ、腰部材の前面部と背面部がねじ止めされ、上半身部材が上半身カバー部材で覆われた状態である組み立て状態において、腰部材を固定しつつ上半身部材に対し前後左右方向に力を加えると腰部材に対し上半身部材が力を加えた方向に傾き、腰部材を固定しつつ上半身部材に対し捩りの力を加えると腰部材に対し力を加えた方向に捩られるものであるから、引用発明は、上半身カバー部材で覆われた上半身部品と腰部材が揺動可能に連結されているということができる。
　また、引用発明は、組み立て状態から腰部材のねじを外すことによって腰部材の前面部と背面部とが分離して組み立て状態から腰部材を取り外すことができ、組み立て状態から腰部材を取り外すと上半身部材の下端の開口から略逆Ｔ字状の乳白色の部材が突出しており、組み立て状態から腰部材を取り外した状態において、略逆Ｔ字状の乳白色の部材から脚部材を取り外すことができ、組み立て状態から腰部材及び脚部材を取り外したものに対して、上半身部材から突出する略逆Ｔ字状の乳白色の部材に腰部材の前面部及び背面部を取り付けて両者をねじ止めし、次いで、略逆Ｔ字状の乳白色の部材の略逆Ｔ字の横棒部分を脚部材に設けられた穴に嵌め込んで取り付けることにより、組み立て状態とすることができるから、引用発明の「上半身部材」と「腰部材」及び「脚部材」とは分離・組み立て可能に連結されているということができる。
　さらに、引用発明のコミックバージョンのデビルマンに係る人形は、組み立て状態において、腰部材を固定しつつ上半身部材に対し前後左右方向に力を加えると腰部材に対し上半身部材が力を加えた方向に傾き、腰部材を固定しつつ上半身部材に対し捩りの力を加えると腰部材に対し力を加えた方向に捩られるものであるから、引用発明における「上半身部材」、「上半身カバー部材」、「腰部材」及び「脚部材」は、本件特許発明１の「可動人形用胴体」に相当する。
　以上を踏まえると、本件特許発明１と引用発明は、前記上半身部品と下半身部品とが、揺動可能、かつ分離・組み立て可能に連結される可動人形用胴体の点で一致する。
（ｃ）引用発明の「上半身カバー部材」は、先端が削られていない鉛筆の先を押し当てながら約６０グラムの荷重をかけると凹んで変形するものであるから、本件特許発明１における「軟質製本体」に相当する。さらに、「上半身カバー部材」は中空であって下端に開口があるから、本件特許発明１と引用発明は、上半身部品は下端に開口を設けた中空の軟質製本体を備える点で一致する。
（ｄ）次に、引用発明の「上半身部材」が本件特許発明１の「芯材」に相当するか否かついて検討する。
　本件特許明細書及び図面（以下、これらをまとめて「本件特許明細書等」という。）には、本件特許発明１の「芯材」について、１）「上半身部品４０は、上端と下端そして左右の腕部連結部位に夫々開口４２，４３，４４を有してなる中空状の上半身部品本体４１と、該本体４１内に嵌め込み状に内装される芯材４８と、…（中略）…を備えて構成されている。」（段落【００１０】）、２）「芯材４８は、少なくとも上下方向で分割されると共に揺動可能に連結された硬質材からなる第一芯材４９と第二芯材５４からなる。」（段落【００１２】）、３）「第一芯材４９は、上半身部品本体４１の腹部４６と同程度の長さで、かつ腹部４６よりも僅かに小形（薄幅・薄肉）に形成され、二枚の前後片５０，５１と該前後片５０，５１間に一端を摺動自在に連結した芯材間連結部材５２と、下半身連結部材５３を備える。」（段落【００１３】）、４）「第二芯材５４は、上半身部品本体４１の胸部４５と同程度の長さで、かつ胸部４５よりも僅かに小形（薄幅・薄肉）に形成され、二枚の前後片５５，５６と該前後片５５，５６間に一端を摺動自在に連結した腕部連結部材５７を備える。」（段落【００１４】）、５）「そして、第一芯材４９と第二芯材５４とを連結した状態で上半身部品本体４１内に嵌入する。すなわち、軟質材からなる上半身部品本体４１の下端開口４３を押し広げて第二芯材５４・第一芯材４９を順に本体４１内に嵌入する。この時、第一芯材４９・第二芯材５４共に、上半身部品本体４１の夫々対応する腹部４６と胸部４５よりも僅かに小形としているため、嵌入時には芯材４８の外面と上半身部品本体４１の内面とが接触し、あたかも上半身部品本体４１が人間で言うところの皮膚を疑似表現することとなる。」（段落【００１５】）と記載されているとともに、図１ないし図６が示されている。以上の本件特許明細書等の記載に照らすと、本件特許発明１の「芯材」は、「中空の軟質製本体」と接触する面積がある程度大きな板状の部材（前後片５０、５１、５５、５６）を有し、「中空の軟質製本体」を外部から押圧しても「中空の軟質製本体」に上半身の形状を保たせる機能を有する部材を意味し、「中空の軟質製本体」と接触する面積が小さく、「中空の軟質製本体」を外部から押圧すると「中空の軟質製本体」に上半身の形状を保たせることが困難な単なる棒状または骨状の部材を意味するものではないと解するのが相当である。
　一方、引用発明の「上半身部材」は「胸部及び腹部を構成する」板状の部材であって（甲第１号証の１の写真２５参照）、引用発明は、１）上半身カバー部材は中空であって、上半身カバー部材に先端が削られていない鉛筆の先を押し当てながら上半身カバー部材に約６０グラムの荷重をかけると、上半身カバー部材は凹んで変形し、２）上半身部材は、上半身部材に先端が削られていない鉛筆の先を押し当てながら上半身部材に約４００グラムの荷重をかけても、目視の範囲では上半身部材に変形は認められず、３）上半身部材が上半身カバー部材で覆われた状態において、上半身カバー部材を指示棒の先で押すと、上半身カバー部材が少し凹状に変形しただけで上半身カバー部材越しに指示棒の先が上半身部材に当接するものであるから、引用発明の上半身部材は上半身カバー部材を外部から押圧しても上半身カバー部材に上半身の形状を保たせる機能を有する部材であるということができる。
　そうすると、引用発明の「上半身部材」は、本件特許発明１の「芯材」に相当し、さらに、引用発明の「上半身部材」は、先端が削られていない鉛筆の先を押し当てながら約４００グラムの荷重をかけても、目視の範囲では変形が認められないから、硬質材料製であるということができる。また、引用発明の上半身部材が上半身カバー部材で覆われた状態において、上半身カバー部材を指示棒の先で押すと、上半身カバー部材が少し凹状に変形して上半身カバー部材越しに指示棒の先が上半身部材に当接するという態様で上半身部材が上半身カバー部材内に内装されることは、芯材が該本体内に嵌入して内装される点で本件特許発明１と一致する。 
　以上を踏まえると、本件特許発明１と引用発明は、上半身部品は、下端に開口を設けた中空の軟質製本体と、該軟質製本体内に嵌入して内装される硬質材料製の芯材とで構成される点で一致する。
（ｅ）本件特許発明１の、下半身部品と揺動可能かつ分離・組み立て可能に連結する下半身連結部材を有する芯材、ということの意味を検討する。
　本件特許明細書等には、上記「（ｄ）」で摘記した１）ないし３）の記載とともに、６）「上記下半身連結部材５３は、棹部５３ａの一端に摺動ボール５３ｂを一体形成し、その摺動ボール５３ｂを前後片５０，５１の下端内面に形成した凹部５０ｂ，５１ｂで摺動自在に保持すると共に、下半身部品１の腰部２に備えられる上半身部品連結構造１９の連結部２０に、前記棹部５３ａを差込嵌合して揺動可能、かつ着脱可能に連結される。」（段落【００１３】）、７）「上半身部品連結構造１９は、上述した押え部材１０の上面が兼ねている。すなわち、押え部材本体１１の上面略中心に立設した連結部２０を介して上半身部品４０を連結している。」（段落【００２３】）、８）「連結部２０は、例えば本実施形態の如く、上面を開放し、差込み穴２１を備えた円筒状に構成され、例えば上半身部品４０の下部から突出している下半身連結部材５３の棹部５３ａを、上記差込み穴２１に着脱自在に差込み連結する。」（段落【００２３】）、９）「なお、本実施形態では、上半身部品４０と腰部２との継手部分にボールジョイント構成とした下半身連結部材５３を使用しているため、上記連結部２０の差込み穴２１を断面角穴状とした場合には、この棹部５３ａ外形も角柱状にすることが可能で、上半身部品４０と腰部分２とが着脱自在な継手構造を有していれば、棹部５３ａと差込み穴２１との関係は任意に設計変更可能である。但し、容易に抜け落ちないように嵌合されているものとする。」（段落【００２３】）と記載され、図２ないし図７が示されている。以上の本件特許明細書等の記載に照らすと、下半身連結部材５３は、棹部５３ａの一端に摺動ボール５３ｂを一体形成し、その摺動ボール５３ｂを前後片５０、５１の下端内面に形成した凹部５０ｂ、５１ｂで摺動自在に保持すると共に、下半身部品１の腰部２に備えられる上半身部品連結構造１９の連結部２０に、前記棹部５３ａを差込嵌合するから、下半身連結部材５３は下半身部品１の腰部２と芯材４８を揺動可能に連結するものの、柱状の部材である下半身連結部材５３の棹部５３ａを筒状の部材である下半身部品１の連結部２０に差込嵌合して連結されるから、下半身連結部材５３は下半身部品１と揺動可能に連結されたものとは認められない。したがって、本件特許明細書等には、下半身部品１と揺動可能に連結される下半身連結部材５３は記載されておらず、下半身部品１と芯材４８を揺動可能に連結する部材である下半身連結部材５３が記載されているということができる。
　このような本件特許明細書等の記載に照らすと、本件特許発明１の、下半身部品と揺動可能かつ分離・組み立て可能に連結する下半身連結部材を有する芯材は、下半身連結部材は下半身部品と芯材を揺動可能かつ分離・組み立て可能に連結する部材であり、芯材がかかる下半身連結部材を有することを意味すると解することができる。
（ｆ）これを踏まえて、引用発明の「略逆Ｔ字状の乳白色の部材」が、本件特許発明１の「下半身部品と揺動可能に連結する下半身連結部材」に相当するか否かを検討する。
　引用発明では、１）略逆Ｔ字状の乳白色の部材の突起部が腰部材の突起の略円形の開口に嵌め込まれ、上半身部材の前面部及び背面部を組み合わせたときに上半身部材の前面部及び背面部の腹部の下端に形成された切り欠きが組み合わされて形成される開口、腰部材の前面部及び背面部を組み合わせたときに腰部材の前面部及び背面部の略Ｔ字の横棒部分の上部の切り欠きが組み合わされて形成される開口、及び、腰部材の前面部及び背面部を組み合わせたときに腰部材の前面部及び背面部の板状突出部の切り欠きが組み合わされて形成される略円形の開口に、略逆Ｔ字状の乳白色の部材の略逆Ｔ字の縦棒部分の柱状体が嵌合され、腰部材の前面部及び背面部を組み合わせたときに腰部材の前面部の板状突出部と腰部材の背面部の板状突出部と間に形成される隙間に略逆Ｔ字状の乳白色の部材の薄肉部が嵌合されることにより、上半身部材と腰部材が連結され、２）腰部材の前面部及び略逆Ｔ字状の乳白色の部材を固定しつつ上半身部材の前面部に対し左右方向に力を加えると、略逆Ｔ字状の乳白色の部材の皿状の膨大部の略半球状の下面と上半身部材の腹部の内面とが摺動して、上半身部材が腰部材及び略逆Ｔ字状の乳白色の部材に対して力を加えた方向に傾く。したがって、引用発明の略逆Ｔ字状の乳白色の部材は、腰部材と上半身部材を揺動可能に連結する部材であるということができるから、引用発明の腰部材と上半身部材を揺動可能に連結する部材である「略逆Ｔ字状の乳白色の部材」は、本件特許発明１の「下半身部品と揺動可能に連結する下半身連結部材」に相当する。
（ｇ）次に、上記で検討した下半身部品と揺動可能かつ分離・組み立て可能に連結する下半身連結部材の意味を踏まえて、引用発明の「略逆Ｔ字状の乳白色の部材」が、本件特許発明１の「下半身部品と分離・組み立て可能に連結する下半身連結部材」に相当するか否かを検討する。
　引用発明では、１）略逆Ｔ字状の乳白色の部材の突起部が腰部材の突起の略円形の開口に嵌め込まれ、上半身部材の前面部及び背面部を組み合わせたときに上半身部材の前面部及び背面部の腹部の下端に形成された切り欠きが組み合わされて形成される開口、腰部材の前面部及び背面部を組み合わせたときに腰部材の前面部及び背面部の略Ｔ字の横棒部分の上部の切り欠きが組み合わされて形成される開口、及び、腰部材の前面部及び背面部を組み合わせたときに腰部材の前面部及び背面部の板状突出部の切り欠きが組み合わされて形成される略円形の開口に、略逆Ｔ字状の乳白色の部材の略逆Ｔ字の縦棒部分の柱状体が挿入され、腰部材の前面部及び背面部を組み合わせたときに腰部材の前面部の板状突出部と腰部材の背面部の板状突出部と間に形成される隙間に略逆Ｔ字状の乳白色の部材の薄肉部が挿入されることにより、上半身部材と腰部材が連結され、２）組み立て状態から腰部材のねじを外すことによって腰部材の前面部と背面部とが分離して組み立て状態から腰部材を取り外すことができ、組み立て状態から腰部材を取り外すと上半身部材の下端の開口から略逆Ｔ字状の乳白色の部材が突出しており、組み立て状態から腰部材を取り外した状態において、略逆Ｔ字状の乳白色の部材から脚部材を取り外すことができ、３）組み立て状態から腰部材及び脚部材を取り外した物に対して、上半身部材から突出する略逆Ｔ字状の乳白色の部材に腰部材の前面部及び背面部を取り付けて両者をねじ止めし、次いで、略逆Ｔ字状の乳白色の部材の略逆Ｔ字の横棒部分を脚部材に設けられた穴に嵌め込んで取り付けることにより、組み立て状態とすることができる。したがって、引用発明の略逆Ｔ字状の乳白色の部材は、腰部材と上半身部材を分離・組み立て可能に連結する部材であるということができる。また、引用発明では、１）組み立て状態から腰部材を取り外した状態において、略逆Ｔ字状の乳白色の部材から脚部材を取り外すことができ、２）略逆Ｔ字状の乳白色の部材の略逆Ｔ字の横棒部分を脚部材に設けられた穴に嵌め込んで取り付けることにより、組み立て状態とすることができる。したがって、引用発明の略逆Ｔ字状の乳白色の部材は、脚部材と上半身部材を分離・組み立て可能に連結する部材であるということができる。
　さらに、引用発明においては、略逆Ｔ字状の乳白色の部材の縦棒部分の先端に形成されたばねによって前記乳白色の部材の皿状の膨大部が押圧されて、前記皿状の膨大部の略半球状の下面と上半身部材の腹部の内面とが当接し、上半身部材の下端の開口から略逆Ｔ字状の乳白色の部材が突出しているから、引用発明の上半身部材が略逆Ｔ字状の乳白色の部材を有することも明らかである。
　以上より、引用発明の「略逆Ｔ字状の乳白色の部材」は、本件特許発明１の「下半身連結部材」に相当し、本件特許発明１と引用発明は、芯材は、下半身部品と揺動可能かつ分離・組み立て可能に連結する下半身連結部材を備える点で一致する。
（ｈ）引用発明においては、上半身部材を覆うカバー部材の下端に開口があり、略逆Ｔ字状の乳白色の部材が前記開口に位置して備えられており、略逆Ｔ字状の乳白色の部材は、上半身部材と腰部材とを連結する部材であるから、略逆Ｔ字状の乳白色の部材が下半身の上端に相当する腰部材と対向しなければならないことは明らかである。したがって、本件特許発明１と引用発明は、下半身連結部材は、下半身部品の上端と対向し、軟質製本体下端の開口に位置して備えられる点で一致する。
（ｉ）引用発明における「腰部材」が、本件特許発明１における「腰部本体」に相当することは明らかである。また、引用発明の略逆Ｔ字状の乳白色の部材は、上半身部材と腰部材とを連結する部材であるから、腰部材が略逆Ｔ字状の乳白色の部材との連結構造を備えていることは明らかである。すなわち、引用発明においては、１）組み立て状態から腰部材のねじを外すことによって腰部材の前面部と背面部とが分離して組み立て状態から腰部材を取り外すことができ、組み立て状態から腰部材を取り外すと上半身部材の下端の開口から略逆Ｔ字状の乳白色の部材が突出しており、組み立て状態から腰部材を取り外した状態において、略逆Ｔ字状の乳白色の部材から脚部材を取り外すことができ、２）組み立て状態から腰部材及び脚部材を取り外した物に対して、上半身部材から突出する略逆Ｔ字状の乳白色の部材に腰部材の前面部及び背面部を取り付けて両者をねじ止めし、次いで、略逆Ｔ字状の乳白色の部材の略逆Ｔ字の横棒部分を脚部材に設けられた穴に嵌め込んで取り付けることにより、組み立て状態とすることができ、３）略逆Ｔ字状の乳白色の部材の突起部が腰部材の突起の略円形の開口に嵌め込まれ、上半身部材の前面部及び背面部を組み合わせたときに上半身部材の前面部及び背面部の腹部の下端に形成された切り欠きが組み合わされて形成される開口、腰部材の前面部及び背面部を組み合わせたときに腰部材の前面部及び背面部の略Ｔ字の横棒部分の上部の切り欠きが組み合わされて形成される開口、及び、腰部材の前面部及び背面部を組み合わせたときに腰部材の前面部及び背面部の板状突出部の切り欠きが組み合わされて形成される略円形の開口に、略逆Ｔ字状の乳白色の部材の略逆Ｔ字の縦棒部分の柱状体が挿入され、腰部材の前面部及び背面部を組み合わせたときに腰部材の前面部の板状突出部と腰部材の背面部の板状突出部と間に形成される隙間に略逆Ｔ字状の乳白色の部材の薄肉部が挿入されることにより、上半身部材と腰部材が連結される。したがって、引用発明の腰部材の「ねじ」、略逆Ｔ字状の乳白色の部材の突起部が嵌め込まれる「腰部材の突起の略円形の開口」、略逆Ｔ字状の乳白色の部材の略逆Ｔ字の縦棒部分の柱状体が挿入される「腰部材の前面部及び背面部を組み合わせたときに腰部材の前面部及び背面部の板状突出部の切り欠きが組み合わされて形成される略円形の開口」、及び、略逆Ｔ字状の乳白色の部材の薄肉部が挿入される「腰部材の前面部及び背面部を組み合わせたときに腰部材の前面部の板状突出部と腰部材の背面部の板状突出部と間に形成される隙間」は、本件特許発明１の「下半身連結部材を連結可能な上半身部品連結構造」に相当する。 
（ｊ）以上を踏まえると、本件特許発明１と引用発明は、下半身部品は、腰部本体と、前記腰部本体内に備えられ、下半身連結部材を連結可能な上半身部品連結構造とを備えている点で一致する。
　
（ウ）本件特許発明１と引用発明の一致点及び相違点
　以上の検討を総合すると、本件特許発明１と引用発明は、
「少なくとも上半身部品と下半身部品が別成形されると共に、
前記上半身部品と下半身部品とが、揺動可能、かつ分離・組み立て可能に連結される可動人形用胴体であって、
　前記上半身部品は、下端に開口を設けた中空の軟質製本体と、
該軟質製本体内に嵌入して内装される硬質材料製の芯材とで構成され、
　前記芯材は、下半身部品と揺動可能かつ分離・組み立て可能に連結する下半身連結部材を備え、
　前記下半身連結部材は、下半身部品の上端と対向し、前記軟質製本体下端の開口に位置して備えられ、
　前記下半身部品は、腰部本体と、前記腰部本体内に備えられ、前記下半身連結部材を連結可能な上半身部品連結構造とを備えている
可動人形用胴体。」
である点で一致し、以下の相違点１ないし相違点３で相違すると認められる。
　
〈相違点１〉
　中空の軟質製本体が、本件特許発明１においては、スラッシュ成形により成形された塩化ビニル樹脂製であるのに対し、引用発明においては、このような限定がない点。
〈相違点２〉
　硬質材料製の芯材が、本件特許発明１においては、合成樹脂製であるとの限定があるのに対し、引用発明においては、合成樹脂製であるのか否か不明である点。
〈相違点３〉
　本件特許発明１においては、
　腰部本体は、前記軟質製本体下端の開口と対向する上端を開放し、外表面にネジ穴や接合線を有しない一体成形されたものであり、
　前記腰部本体内に備えられた上半身部品連結構造は、前記下半身連結部材を差し込み連結可能であり、前記上半身部品連結構造は、前記下半身連結部材と対向し、前記腰部本体の開放部位に位置して備えられ、前記下半身連結部材と前記上半身部品連結構造は、円柱状の棹部と、該棹部を嵌合し、かつ上下方向で差込み連結かつ引き抜き分離可能な円筒状の差込み穴とによって構成され、
　前記上半身部品と前記下半身部品は、軟質製本体下端の開ロと腰部本体の開放部位にそれぞれ位置している前記棹部と前記差込み穴との上下方向の差込み又は引き抜きのみによって着脱自在に連結されているのに対して、
　引用発明においては、
　腰部材は前面部と背面部がねじによって組み立てられるものであり、
　略逆Ｔ字状の乳白色の部材の略逆Ｔ字の縦棒部分は柱状体であり、前記柱状体の側面には、前記略逆Ｔ字状の乳白色の部材の略逆Ｔ字の横棒部分の延在方向に広がりかつ略逆Ｔ字の縦棒部分の上部に向かうにつれて幅広となる薄肉部と、前記略逆Ｔ字の横棒部分及び縦棒部分に直交する方向に突出する突起部が形成され、略逆Ｔ字状の乳白色の部材の略逆Ｔ字の縦棒部分の上部に上面が略平面で下面が略半球状である皿状の膨大部が形成されたものであり、
略逆Ｔ字状の乳白色の部材の突起部が腰部材の突起の略円形の開口に嵌め込まれ、上半身部材の前面部及び背面部を組み合わせたときに上半身部材の前面部及び背面部の腹部の下端に形成された切り欠きが組み合わされて形成される開口、腰部材の前面部及び背面部を組み合わせたときに腰部材の前面部及び背面部の略Ｔ字の横棒部分の上部の切り欠きが組み合わされて形成される開口、及び、腰部材の前面部及び背面部を組み合わせたときに腰部材の前面部及び背面部の板状突出部の切り欠きが組み合わされて形成される略円形の開口に、略逆Ｔ字状の乳白色の部材の略逆Ｔ字の縦棒部分の柱状体が挿入され、腰部材の前面部及び背面部を組み合わせたときに腰部材の前面部の板状突出部と腰部材の背面部の板状突出部と間に形成される隙間に略逆Ｔ字状の乳白色の部材の薄肉部が挿入されることにより、上半身部材と腰部材が連結され、
　組み立て状態から腰部材のねじを外すことによって腰部材の前面部と背面部とが分離して組み立て状態から腰部材を取り外すことができ、組み立て状態から腰部材を取り外すと上半身部材の下端の開口から略逆Ｔ字状の乳白色の部材が突出しており、組み立て状態から腰部材を取り外した状態において、略逆Ｔ字状の乳白色の部材から脚部材を取り外すことができる点。
　
ウ　相違点についての検討
（ア）相違点１について
　請求人の提出した本件特許の出願前に発行された刊行物である甲第１３号証の第３９頁左欄から中央欄には、「ソフトビニールは…（中略）…、レコード盤などと同じ『ポリ塩化ビニール』の一種です。その人肌に似た柔らかな感触から『ソフトビニール』と通称され」、「その完成度、ディテール表現には誰もが驚き、次第にソフトビニールという素材がガレージキット業界でも注目を集めるようになってきました。」、「以前本誌の特集号で紹介されていたようにふつうソフトビニール製品は、ろう（ワックス）の原型に銅メッキを施し、その銅のメッキ層を金型としてゾルと呼ばれる液体を流し込んで成型されています。」と記載されている。そして、同号証同頁の右欄には、「※　本文中にもあるように本誌1987年８月号では『ソフトビニール大研究』という特集を組み、ソフビキットを多角的にとらえている。」と記載され、上記「本誌1987年８月号」である甲第１４号証の第３４頁には、「ソフビ製品の製造は一般的に“スラッシュ製法”とよばれる方法で行われます。」（左欄）、「これが“スラッシュ製法”といわれるものです。だいだいわかってもらえたかな？　分割した型をあわせて作るのではないからパーティングラインが出ないし、中空に成型できるし、軟らかい材質は安全性も高い。」（右欄）と記載されている。したがって、甲第１３及び１４号証から、人形の分野において、中空の軟質部材としてスラッシュ成形により成形されたポリ塩化ビニールを採用することは、本件特許の出願時における周知技術であると認めることができる。
　そうすると、上記周知技術に基き、引用発明の中空の軟質製本体を、スラッシュ成形により成形された塩化ビニル樹脂製とし、上記相違点１に係る本件特許発明１の発明特定事項を採用することは、当業者にとって容易想到である。
　
（イ）相違点２について
　人形の分野において、硬質部材の材料として合成樹脂を採用することは本件特許の出願時における周知技術であるから、当該周知技術に基いて、硬質材料製の芯材を合成樹脂製とし、上記相違点２に係る発明特定事項を採用することは、当業者にとって容易想到である。
　
（ウ）相違点３について
　相違点３について、請求人は、第２商品発明に基いて容易想到である旨主張するから、以下、当該主張について検討する。
（ａ）第２商品発明
　甲第５号証の１の写真８〜１４から、第２商品は、頭部、胸部、腹部及び両腕部からなる上半身部と、腰部及び両脚部からなる下半身部とからなる可動人形であって、胸部、腹部、腰部それぞれは、いずれも外表面にネジ穴や接合線を有することなく一体成形されてなることは明らかであり、同写真１５〜１７、２２〜２４及び甲第５号証の２の記載内容、特に黒抜き矢印と白抜き矢印の意味、及び、「□４（当審注：「□４」は「四角の中に４」を意味する。）全体の組み立て」中の「美乳タイプ・タイプ（当審注：「巨乳タイプ」の誤記と認める。）・素足タイプ・靴をはかせるタイプの付け替えで、あなただけのオリジナルドールをお楽しみ下さい。」という記載及び両方向矢印両端部に記載されている「胴体部（巨乳）」、「胴体部（美乳）」の記載からして、第２商品は、腹部と対向する胸部の下面及び腰部の上面に、開口した円筒状の軸受け部が形成され、腹部には、胸部と対向する上面及び腰部と対向する下面に円筒状の凹部が形成されていると共に、腹部の両方の凹部に筒体が嵌め込まれて接着固定されていて、胸部と腹部及び腹部と腰部それぞれは、前記筒体内に挿入、嵌合して筒体内を摺動できる球体部と、前記開口した円筒状の軸受け部に嵌合できる軸部からなる連結体によって連結されていて、胸部と腹部を連結する連結体の軸部は胸部の軸受け部に接着固定されず、腹部と腰部を連結する連結体の軸部は腰部の軸受け部に接着固定され、胸部を交換可能とするとともに、胸部、腹部、腰部を互いに前後左右に揺動可能としていると理解できる。
　そうすると、第２商品が本件特許の出願前に発売されたことにより、次の「第２商品発明」が、本件特許の出願前に公然実施をされていたと認めることができる。
〈第２商品発明〉
「頭部、胸部、腹部及び両腕部からなる上半身部と、腰部及び両脚部からなる下半身部とからなる可動人形であって、
　胸部、腹部、腰部それぞれは、いずれも外表面にネジ穴や接合線を有することなく一体成形されてなり、
　胸部には、腹部と対向する下面に開口した円筒状の軸受け部が形成され、
　腹部には、胸部と対向する上面及び腰部と対向する下面に円筒状の凹部が形成されていると共に、腹部の両方の該凹部に筒体が嵌め込まれて接着固定され、
　腰部には、腹部と対向する上面に開口した円筒状の軸受け部が形成され、
　胸部と腹部及び腹部と腰部は、それぞれ、前記筒体内に挿入、嵌合して筒体内を摺動できる球体部と、前記開口した円筒状の軸受け部に嵌合できる軸部からなる連結体によって連結され、
　胸部と腹部を連結する連結体の軸部は胸部の軸受け部に接着固定されず、腹部と腰部を連結する連結体の軸部は腰部の軸受け部に接着固定され、胸部が交換可能であるとともに、胸部、腹部、腰部が互いに前後左右に揺動可能とされている、可動人形。」
　
（ｂ）容易想到性
（ｂ−１）発明特定事項
　上記相違点３に係る発明特定事項と第２商品発明が具備する事項を対比する。
　ここで、第２商品発明の接着固定されていない嵌合個所は、差し込みとともに引き抜きのみによって着脱できることは明らかであるといえる。
　したがって、第２商品発明の、i）「腰部」は、「外表面にネジ穴や接合線を有することなく一体成形されてなり」、ii）「腰部には、腹部と対向する上面に開口した円筒状の軸受け部が形成され」、「腹部と腰部は」、「前記開口した円筒状の軸受け部に嵌合できる軸部からなる連結体によって連結され」という事項は、それぞれ、上記相違点３に係る発明特定事項のi）「腰部本体は、前記軟質製本体下端の開口と対向する上端を開放し、外表面にネジ穴や接合線を有しない一体成形されたもの」、ii）「腰部本体内に備えられた上半身部品連結構造は、前記下半身連結部材を差し込み連結可能であり、前記上半身部品連結構造は、前記下半身連結部材と対向し、前記腰部本体の開放部位に位置して備えられ、前記下半身連結部材と前記上半身部品連結構造は、円柱状の棹部と、該棹部を嵌合し、かつ上下方向で差込み連結」「可能な円筒状の差込み穴とによって構成」され、「上半身部品と前記下半身部品は」、「上下方向の差込み又は引き抜きのみによって着脱自在に連結されている」という事項に相当するといえる。
　しかしながら、第２商品発明の腰部には連結体の軸部が接着固定されているため、第２商品発明は、相違点３における、円柱状の棹部と円筒状の差込み穴に相当する部位においては引き抜き分離可能でなく、また、その部位における差し込み引き抜きのみによって着脱自在とはいえない。
　この点、請求人は、第２商品発明の胸部と腹部の連結構造は、連結体の軸部が軸受け部に接着固定されることなく上下方向に差込み連結かつ引き抜き分離可能に嵌合されており、胸部と腹部及び腹部と腰部の連結構造は、その点以外では同じであるから、前記した胸部と腹部の連結構造を腹部と腰部の連結構造に採用し、腹部と腰部を連結する連結体の軸部を軸受け部に接着固定させることなく、上下方向に差込み連結かつ引き抜き分離可能に嵌合させることは容易想到である、あるいは、「上半身部品」と「下半身部品」の分離位置を「下半身連結部材」と「上半身部品連結構造」の間に設定するか、或いは、「下半身連結部材」と「上半身部品」の間に設定するかは単なる設計変更にすぎず、いずれを採用したとしても「上半身部品」と「下半身部品」を「棹部と差込み穴との上下方向の差込み又は引き抜きのみによって着脱自在に連結させる」ことができる旨主張するから、次に、当該主張を含め、引用発明に第２商品発明を適用する動機付けについて検討する。
（ｂ−２）引用発明に第２商品発明を適用する動機付け
　当審は、引用発明は、完成品人形として使用されるものであるから、上半身と下半身を差込み又は引き抜きのみによって着脱自在に連結する動機付けがなく、一方、第２商品発明の連結構造は、組み立てキットの人形であって、部品を交換可能とするという要求に基づくものであるから、当該連結構造を完成品人形である引用発明に適用する動機付けはないと判断する。その詳細は以下のとおりである。
　本件特許発明１において、「前記下半身連結部材と前記上半身部品連結構造は、円柱状の棹部と、該棹部を嵌合し、かつ上下方向で差込み連結かつ引き抜き分離可能な円筒状の差込み穴とによって構成され、前記上半身部品と前記下半身部品は、軟質製本体下端の開ロと腰部本体の開放部位にそれぞれ位置している前記棹部と前記差込み穴との上下方向の差込み又は引き抜きのみによって着脱自在に連結されている」という発明特定事項を具備することによる作用効果は、「簡単に分解組み立てができるため、他のパーツ（他の上胴部や他の脚部）への組み替え、あるいは洋服などの着せ替え・装備などの取付けなども容易に可能である。」（特許明細書の段落【００２５】参照）点にあるものといえる。
　ここで、甲第２号証の第７８頁右上欄の「メディコム・トイより毎月約２体がリリースされている、リアルアクションヒーローズはタカラ製のニューコンバットジョーを内蔵し、全身が可動する完成品人形である。」という記載、同号証同頁及び甲第４号証の第１０２頁に掲載されているリアルアクションヒーローズシリーズに係る人形のラインナップ、ならびに、乙第７ないし１０号証に示された写真からして、引用発明を含むリアルアクションヒーローズシリーズの各人形は、既製のタカラ製のニューコンバットジョーに、各キャラクター特有の外皮あるいは被服等の外装部材を取り付けることによって当該キャラクターを表現した完成品人形であって、購入者が、外装部材を他のキャラクターを表現するための外装部材に取り替えてキャラクターを変更したり、「既製のタカラ製のニューコンバットジョー」の上半身又は下半身を組み替えて使用することを意図した人形ではないといえるから、引用発明は、既製のタカラ製のニューコンバットジョーにコミックバージョンのデビルマンを表現するための外装部材を被せることにより、「コミックバージョンのデビルマンに係る」「完成品人形」としたものであるといえる。
　そして、キャラクターは、その容姿全体として特定化されるものであって、当該キャラクターにおいて予定されている範囲を超えて、その容姿の一部を組み替えた場合には、そのキャラクターとは別異のキャラクターとなってしまうことは明らかである上、引用発明の乳白色の部材は、上半身部材の前面部と背面部との間に、両者を組み合わせてねじ止めすることにより一体化されることや、脚部材に設けられた穴に嵌め込むための横棒部分を具備していて、前記乳白色の部材に腰部材の前面部及び背面部をねじ止めしたものに対して脚部材を嵌め込んで組み立て状態とするものであることを勘案すると、引用発明において、上半身カバーを含む外装部材全体を交換し、ラインナップされている他のキャラクターの人形とすることが人形の構造上可能であるとしても、上半身部材あるいは腰部材を他の部材と組み替えることは、ラインナップされている他のキャラクターの人形はもとより、完成品人形である引用発明のコミックバージョンのデビルマンというキャラクターではない別異のキャラクターの人形とすることになる上、ねじを取り外して再度組み立てるいう極めて繁雑な作業が必要となり、引用発明の「完成品人形」の用途として意図されていない使用の態様といえる。
　一方、第２商品発明において、胸部と腹部の連結構造を、連結体の軸部を軸受け部に接着固定することなく上下方向に差込み連結かつ引き抜き分離可能に嵌合する構造としているのは、第２商品発明が「組み立てキット」（甲第６号証の第１０２頁右上、甲第７号証の第８７頁右欄００７の項、提出された甲第８号証の第２葉上方の○５幻の素体−Ａの項参照）であって、胸部を交換可能とするためであるといえる。
　そうすると、完成品人形であって、上半身部材あるいは腰部材を他の部材と組み替えることを意図していない、引用発明のネジを用いた上半身部材と腰部材の強固な連結構造を、部材の交換を意図した第２商品発明の連結構造、すなわち、腰部材に設けられた円筒状の差込み穴に、下半身連結部材の円柱状の棹部を嵌合させ、上下方向で差込み連結かつ引き抜き分離可能とし、前記棹部と前記差込み穴との上下方向の差込み又は引き抜きのみによって着脱自在に連結する構造に置き換えることは、引用発明の「完成品人形」の用途として意図されていない置き換えといわざるを得ないから、請求人の上記主張にかかわらず、引用発明に第２商品発明を適用する動機付けを見いだすことはできない。
　
（ｃ）相違点３についての小括
　以上のとおりであるから、相違点３に係る発明特定事項は、引用発明及び第２商品発明から導き出すことはできない。
　
（３）無効理由１についてのまとめ
　以上検討したとおり、本件特許発明１は、引用発明及び第２商品発明に基いて容易想到であるとはいえない。また、本件特許発明２は、既に検討した本件特許発明１の「軟質性本体」について、「アンダーバストの位置と腹部との接触角が鋭角である乳房部を備え、接合線の無い一体成形品であること」をさらに限定するものであるから、本件特許発明１と同様に、引用発明及び第２商品発明に基いて容易想到であるとはいえない。
　したがって、請求人の主張する無効理由１は採用できず、本件特許発明１、２に係る特許は特許法第１２３条第１項第２号の規定に該当しない。
　
３　無効理由２（第１商品発明と第３商品発明に基く容易想到性）について
（１）第３商品発明の公然実施性
　第１商品発明が本件特許の出願前に公然実施をされた発明であると認められることは上記「２」の「（１）」の「（１−１）」で検討したとおりである。
　被請求人は、第３商品が本件特許の出願前に発売されたことを認めており（平成２３年２月１５日付けの答弁書第１７頁参照）、第３商品発明が本件特許の出願前に公然実施をされた発明であることについて当事者間に争いはないが、念のため、第３商品が本件特許の出願前に発売された事実を示す証拠方法として請求人が提出した甲第１０ないし１２号証について検討する。
ア　甲第１０及び１１号証に掲載された人形の発売時期について
　甲第１０及び１１号証はいずれも本件特許の出願前に発行された刊行物である。
　提出された甲第１０号証の第２葉には「今回で12回目を迎える「ホビージャパンエクストラ夏の号恒例ガレージキットカタログ」ですが、掲載されたガレージキットの点数はなんと900点以上！（ちなみに昨年は700点以上……）この１年間に発売されたキットはもちろんのこと、今夏発売の最新キットまで掲載しています。」と記載され、第９６頁の上部には８体の人形の写真が掲載され、その右下には「↑（当審注：上向き黒抜き三角）天上ウテナ、麻宮アテナ、神崎あかり大学衛星体操着Ver.、訓練校制服Ver.、訓練校体操着Ver.、綾波レイ、転校生Ver.、惣流・アスカ・ラングレー（左より）　A.S.F８体揃い踏み。価格は綾波２種とアスカが5800円、天上ウテナが7800円、それ以外は6800円となっている。手は平手と握り手が付属している。」と記載され、さらにその下に、「［コトブキヤ］　コトブキヤの「アクティブ・スタイリング・フィギュア（A.S.F.）」は、ボディはABS樹脂製の全身可動ドールでありながら、頭部は…（以下略）」と記載されている。したがって、甲第１０号証の第９６頁の上部に掲載された８体の人形は、本件特許の出願前である甲第１０号証の発行日以前に発売されたと認めることができる。
　提出された甲第１１号証の第２葉の上段中央には、２体の人形を撮影した写真とともに、その左側の人形の写真の下方に「フル可動」「NOW ON SALE 絶賛発売中」「Active Styling Figure Series No.4 神崎あかり」「\6,800」と記載され、その右側の人形の写真の下方に「フル可動」「NOW ON SALE 絶賛発売中」「Active Styling Figure Series No.5 天上ウテナ」「\7,800」と記載されている。また、同頁左には「KOTOBUKIYA Stop!! Look everyone!! Welcome to KOTOBUKIYA new comer information. KOTOBUKIYA」という帯状の記載がある。したがって、提出された甲第１１号証の第２葉上段に掲載された２体の人形は、本件特許の出願前である甲第１１号証の発行日以前に発売されたと認めることができる。
　甲第１２号証は、３体の人形が個別にパッケージに収納された状態を撮影した写真であって、その写真の右側のパッケージ下方には「04　天上ウテナ」「７８００」「KOTOBUKIYA」の記載があり、中央のパッケージ下方には「05　神崎あかり」「訓練校服バージョン」「６８００」「KOTOBUKIYA」の記載がある。
　これらの事項を総合勘案するに、甲第１０号証の第９６頁上部の左から５体目の人形と提出された甲第１１号証の第２葉上段中央左側の人形はその外観が非常によく似ており、また、提出された甲第１１号証の第２葉に記載された「Active Styling Figure Series No.4 神崎あかり」、「Active Styling Figure Series No.5 天上ウテナ」は、それぞれ、「Active Styling Figure Series No.5 神崎あかり」、「Active Styling Figure Series No.4 天上ウテナ」の誤記と考えられることから、上記の甲第１０号証の第９６頁上部の左から５体目の人形、提出された甲第１１号証の第２葉上段中央左側の人形は、いずれも「Active Styling Figure Series No.5 神崎あかり」と称する人形であって、いずれも本願出願前に発売されたものと認めることができる。
　
イ　第３商品と甲第１０及び１１号証に掲載された人形との同一性について
　次の（ａ）及び（ｂ）を総合勘案すると、第３商品と甲第１０号証の第９６頁上部の左から５体目の人形、提出された甲第１１号証の第２葉上段中央左側の人形は同一であると推認することができる。
（ａ）甲第９号証の１に示された「写真１」及び「写真６」と、甲第１０号証の第９６頁上部の左から５体目の人形、提出された甲第１１号証の第２葉上段中央左側の人形の写真を比べると、第３商品と甲第１０及び１１号証に掲載された上記写真に係る人形は、類似した表情の顔と髪型をし、類似した被服をまとった女性を模した人形であって、その外観は極めて似ている。
（ｂ）甲第９号証の１の「写真１」ないし「写真５」から、第３商品のパッケージには、「０５」、「神崎あかり　訓練校服バージョン」、「６８００」「アクティブスタイリングフィギュアシリーズ」、という記載が存在し、甲第９号証の２には「ACTIVE STYLING FIGURE SERIES No.5」、「神崎あかり　訓練校服バージョン」、「KOTOBUKIYA」、「販売元　株式会社　壽屋〜ことぶきや〜」という記載が存在する。一方、上記「ア」において摘記した甲第１０及び１１号証の記載を参酌すると、甲第１０及び１１号証に掲載された上記写真に係る人形は、いずれも「株式会社壽屋」から発売されている、価格が「６８００円」の商品と推認でき、「Active Styling Figure Series No.5 神崎あかり」の名称を具備する人形であることは上述のとおりであるから、第３商品と甲第１０及び１１号証に掲載された上記写真に係る人形は、いずれも株式会社壽屋から「Active Styling Figure Series No.5 神崎あかり」の名称を付されて、「６８００円」で販売された人形である点で共通する。
　
ウ　第３商品の本件特許出願前の公然実施についての小括
　したがって、本件特許の出願前に第３商品が発売されたことを被請求人が認めていることに加え、請求人が提出した甲第１０号証の第９６頁上部の左から５体目の人形、提出された甲第１１号証の第２葉上段中央左側の人形は、いずれも「Active Styling Figure Series No.5 神崎あかり」と称する人形であって、いずれも本件特許の出願前に発売されたものと認めることができ、第３商品と上記の甲第１０号証の第９６頁上部の左から５体目の人形、提出された甲第１１号証の第２葉上段中央左側の人形は同一であると推認することができるから、第３商品は本件特許の出願前に発売されており、第３商品発明は本件特許の出願前に公然実施をされた発明であると認めることができる。
　
（２）容易想到性についての検討
　上記のとおり、第１商品発明、第３商品発明はいずれも本件特許の出願前に公然実施をされた発明であると認めることができる。
　第１商品に係る発明である引用発明、本件特許発明１と引用発明の一致点と相違点、及び、上記相違点のうち相違点１、２については、上記「２」において無効理由１について検討したと同様であるから、上記相違点３について、第３商品発明に基く容易想到性について検討する。
ア　第３商品発明
　甲第９号証の１の写真６〜１４から、第３商品は、頭部、胸部、腹部及び両腕部からなる上半身部と、腰部及び両脚部からなる下半身部とからなる可動人形であることは明らかであって、同写真１５〜２１及び甲第１５号証の写真１、２からして、第３商品の腹部には、腰部と対向する下面に軸受け部が形成されていて、腰部は、腹部と対向する上面と、両脚部に対向する股関節両側面が開口した中空状に形成され、当該腰部の中空部には、円柱状の縦棒及び横棒からなり、棒の各先端に球体部を設けた逆Ｔ字状の連結体が収納されていて、前記連結体は、前記縦棒先端の球体部が前記腹部と対向する上面の開口から突出しているとともに、前記横棒各先端の球体部が前記股関節両側面の開口から突出していること、及び、少なくとも腰部は、外表面にネジ穴や接合線を有することなく一体成形されていることが理解でき、さらに甲第９号証の１の写真８〜１４を参酌すると、第３商品の腹部と腰部は、前記連結体の縦棒先端の球体部が前記軸受け部に上下方向に差込み連結かつ引き抜き分離可能に嵌合され、当該縦棒先端の球体部が軸受け部内を摺動することにより前後左右に揺動可能に連結されていることが理解できる。
　そうすると、第３商品が本件特許の出願前に販売されていたことにより、次の第３商品発明が本件特許の出願前に公然実施をされていたと認めることができる。
〈第３商品発明〉
「頭部、胸部、腹部及び両腕部からなる上半身部と、腰部及び両脚部からなる下半身部とからなる可動人形であって、
　腹部には、腰部と対向する下面に軸受け部が形成され、
　腰部は、腹部と対向する上面と、両脚部に対向する股関節両側面が開口した中空状に形成され、当該腰部の中空部には、円柱状の縦棒及び横棒からなり、棒の各先端に球体部を設けた逆Ｔ字状の連結体が収納されてなり、
　前記連結体は、前記縦棒先端の球体部が前記腹部と対向する上面の開口から突出しているとともに、前記横棒各先端の球体部が前記股関節両側面の開口から突出し、
　腹部と腰部は、前記連結体の縦棒先端の球体部が前記軸受け部に上下方向に差込み連結かつ引き抜き分離可能に嵌合され、当該縦棒先端の球体部が軸受け部内を摺動することにより前後左右に揺動可能に連結され、
　少なくとも腰部は、外表面にネジ穴や接合線を有することなく一体成形されてなる、可動人形。」
　
イ　容易想到性
　上記相違点３に係る発明特定事項と第３商品発明が具備する事項を対比する。
　第３商品発明の、「腰部」は、「外表面にネジ穴や接合線を有することなく一体成形されてなり」という事項は、上記相違点３に係る発明特定事項の「腰部本体は、前記軟質製本体下端の開口と対向する上端を開放し、外表面にネジ穴や接合線を有しない一体成形されたもの」という事項に相当するといえる。そして、第３商品発明の「腹部と腰部は、前記連結体の縦棒先端の球体部が前記軸受け部に上下方向に差込み連結かつ引き抜き分離可能に嵌合され、当該縦棒先端の球体部が軸受け部内を摺動することにより前後左右に揺動可能に連結され」るのであるから、第３商品発明の腰部の中空部に収納されている「逆Ｔ字状の連結体」及び「（腹部下面に設けられている）軸受け部」は、上半身部と下半身部を上下方向の差込み又は引き抜きのみによって着脱自在に連結するという点において、上記相違点３に係る発明特定事項の「腰部本体内に備えられた上半身部品連結構造」及び「下半身連結部材」に対応するものともいえる。
　しかしながら、第３商品発明において上半身部と下半身部を上下方向の差込み又は引き抜きのみによって着脱自在に連結する上記「逆Ｔ字状の連結体」及び「軸受け部」は、それぞれ「（腰部に収納されて）縦棒先端の球体部が腹部と対向する上面の開口から突出」するもの、及び、「前記連結体の縦棒先端の球体部」を「嵌合」するもの、すなわち、球体部及び球体部と嵌合する軸受け部であるのに対し、上記相違点３に係る発明特定事項の「上半身部品連結構造」と「下半身連結部材」は、それぞれ「円筒状の差込み穴」と「円柱状の棹部」によって構成されるものであって、第３商品発明と上記相違点３に係る発明特定事項では、着脱連結構造が異なることは明らかである。
　したがって、第３商品発明と上記相違点３に係る発明特定事項では着脱連結構造自体が相違するから、両者は上半身部品と下半身部品の分離位置が異なっているものの分離位置をどのように設定するかは単なる設計変更にすぎないとする請求人の主張は、その前提となる着脱連結構造に係る相違点を看過しており、採用できない。
　加えて、上記「２」の「（２）」「ウ」「（ウ）」「（ｂ）」「（ｂ−２）」において検討したとおり、引用発明が上半身部材あるいは腰部材を他の部材と組み替えることを意図していない発明であることを勘案すると、引用発明に、円柱状の棹部と円筒状の差込み穴とを上下方向で差込み連結かつ引き抜き分離可能なように嵌合せしめる連結構造を適用して上半身部材と腰部材を簡単に分解組み立てを可能とし、他のパーツへの組み替えなどを容易にするという動機付けを見いだすこともできない。
　
（３）無効理由２についてのまとめ
　以上のとおり、相違点３に係る発明特定事項は、第３商品発明から導き出すことはできないから、本件特許発明１は、引用発明及び第３商品発明に基いて容易想到であるとはいえない。また、本件特許発明２は、既に検討した本件特許発明１の「軟質性本体」について、「アンダーバストの位置と腹部との接触角が鋭角である乳房部を備え、接合線の無い一体成形品であること」をさらに限定するものであるから、本件特許発明１と同様に、引用発明及び第３商品発明に基いて容易想到であるとはいえない。
　したがって、請求人の主張する無効理由２は採用できず、本件特許発明１、２に係る特許は特許法第１２３条第１項第２号の規定に該当しない。
　
第７　むすび  
　以上のとおりであるから、請求人が申し立てた理由及び証拠方法によっては、願書に添付した特許請求の範囲の請求項１ないし２についての特許を無効とすることはできない。
　審判に関する費用については、特許法第１６９条２項で準用する民事訴訟法第６１条の規定により、請求人の負担とすべきものとする。
　よって、結論のとおり審決する。